(57)【要約】  本開示は、WLANアクセスポイントとセルラーネットワークモデムとを備えるスモールセルによって運用されるワイヤレスローカルエリアネットワーク(WLAN)への干渉を低減するために、セルラーネットワーク用の動作チャネルを選択することに関する。スモールセルは、利用可能なチャネルのチャネルスキャンを実行することと、チャネルスキャンに基づいてセルラーネットワーク用の動作チャネルとなるべきクリーンチャネルがあるかどうかを判断することであって、クリーンチャネルがWLAN干渉しきい値未満でWLANに干渉するチャネルを備える、判断することと、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにすることとを行う。
2016529852.tif 000002
【特許請求の範囲】
【請求項１】
スモールセルによって運用されるワイヤレスローカルエリアネットワーク(WLAN)への干渉を低減するために、セルラーネットワーク用の動作チャネルを選択するための方法であって、
前記スモールセルによって、利用可能なチャネルのチャネルスキャンを実行するステップであって、前記スモールセルがWLANアクセスポイントとセルラーネットワークモデムとを備える、ステップと、
前記チャネルスキャンに基づいて前記セルラーネットワーク用の前記動作チャネルとなるべきクリーンチャネルがあるかどうかを判断するステップであって、前記クリーンチャネルがWLAN干渉しきい値未満で前記WLANに干渉するチャネルを備える、ステップと、
前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにするステップと
を備える方法。
【請求項２】
前記クリーンチャネルが、RSSIしきい値未満の最大ビーコン受信信号強度インジケータ(RSSI)を有するチャネルを備える、請求項1に記載の方法。
【請求項３】
前記WLAN干渉しきい値が、前記RSSIしきい値を備える、請求項2に記載の方法。
【請求項４】
ユーティリティ値を、RSSIしきい値未満の最大ビーコンRSSIを有する各利用可能なチャネルに割り当てるステップであって、前記ユーティリティ値が雑音フロアおよび前記最大ビーコンRSSIに基づく、ステップ
をさらに備える、請求項1に記載の方法。
【請求項５】
前記選択された動作チャネルが、最も高いユーティリティ値を有する利用可能なチャネルを備える、請求項4に記載の方法。
【請求項６】
周期的にまたはイベントに応答して前記チャネルスキャンを実行するステップ
をさらに備える、請求項1に記載の方法。
【請求項７】
前記イベントが、前記WLANアクセスポイントまたは前記WLANアクセスポイントに接続されたユーザデバイスによる、しきい値よりも高い前記動作チャネルへの干渉の検出を備える、請求項6に記載の方法。
【請求項８】
前記チャネルスキャンに基づいて新しい動作チャネルに切り替えるためのチャネル切替え基準が満たされたかどうかを判断するステップと、
前記チャネル切替え基準が満たされたと判断したことに基づいて、前記新しい動作チャネルに切り替えるステップと
をさらに備える、請求項1に記載の方法。
【請求項９】
前記チャネル切替え基準が、新しいビーコンのビーコンRSSIが前記しきい値よりも大きいかどうかの指示および/または前記動作チャネルよりも高いユーティリティ値を有する新しいチャネルがあるかどうかの指示を備える、請求項8に記載の方法。
【請求項１０】
前記セルラーネットワークが、無認可スペクトル内のロングタームエボリューション(LTE)ネットワークを備える、請求項1に記載の方法。
【請求項１１】
スモールセルによって運用されるワイヤレスローカルエリアネットワーク(WLAN)への干渉を低減するために、セルラーネットワーク用の動作チャネルを選択するための方法であって、
前記スモールセルのセルラーネットワークモデムによって、前記セルラーネットワークを動作させるための利用可能なチャネルの第1のチャネルスキャンを実行するステップと、
前記スモールセルのWLANアクセスポイントによって、前記セルラーネットワークを動作させるための前記利用可能なチャネルの第2のチャネルスキャンを実行するステップと、
前記第1のチャネルスキャンに基づいて、セルラーネットワーク干渉しきい値を下回る干渉レベルを有する前記利用可能なチャネルのうちの1つまたは複数のセルラーネットワークチャネルを識別するステップと、
前記第2のチャネルスキャンに基づいて、前記識別された1つまたは複数のセルラーネットワークチャネルの中に前記セルラーネットワーク用の前記動作チャネルとなるべきクリーンチャネルがあるかどうかを判断するステップであって、前記クリーンチャネルがWLAN干渉しきい値未満で前記WLANに干渉するチャネルを備える、ステップと、
前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにするステップと
を備える方法。
【請求項１２】
前記クリーンチャネルが、RSSIしきい値未満の最大ビーコン受信信号強度インジケータ(RSSI)を有するチャネルを備える、請求項11に記載の方法。
【請求項１３】
前記WLAN干渉しきい値が、前記RSSIしきい値を備える、請求項12に記載の方法。
【請求項１４】
ユーティリティ値を、RSSIしきい値未満の最大ビーコンRSSIを有する前記1つまたは複数のチャネルの各々に割り当てるステップであって、前記ユーティリティ値が雑音フロアおよび前記最大ビーコンRSSIに基づく、ステップ
をさらに備える、請求項11に記載の方法。
【請求項１５】
前記選択された動作チャネルが、最も高いユーティリティ値を有する利用可能なチャネルを備える、請求項14に記載の方法。
【請求項１６】
周期的にまたはイベントに応答して前記第1のチャネルスキャンおよび前記第2のチャネルスキャンを実行するステップ
をさらに備える、請求項11に記載の方法。
【請求項１７】
前記イベントが、前記WLANアクセスポイントまたは前記WLANアクセスポイントに接続されたユーザデバイスによる、しきい値よりも高い前記動作チャネルへの干渉の検出を備える、請求項16に記載の方法。
【請求項１８】
前記第2のチャネルスキャンに基づいて新しい動作チャネルに切り替えるためのチャネル切替え基準が満たされたかどうかを判断するステップと、
前記チャネル切替え基準が満たされたと判断したことに基づいて、前記新しい動作チャネルに切り替えるステップと
をさらに備える、請求項11に記載の方法。
【請求項１９】
前記チャネル切替え基準が、新しいビーコンのビーコンRSSIが前記WLAN干渉しきい値よりも大きいかどうかの指示および/または前記動作チャネルよりも高いユーティリティ値を有する新しいチャネルがあるかどうかの指示を備える、請求項18に記載の方法。
【請求項２０】
前記セルラーネットワークが、無認可スペクトル内のロングタームエボリューション(LTE)ネットワークを備える、請求項11に記載の方法。
【請求項２１】
前記セルラーネットワーク干渉しきい値を下回る干渉レベルを有する前記セルラーネットワークチャネルが利用可能ではないことに基づいて、利用不可能なセルラーネットワークチャネルを除外するステップ
をさらに備える、請求項11に記載の方法。
【請求項２２】
前記除外するステップが、
前記WLANアクセスポイントのスキャン期間と重複する、前記セルラーネットワーク干渉しきい値を上回る干渉レベルを有する任意のセルラーネットワーク信号を探索するために、ネットワークリッスンを実行するステップと、
前記WLANアクセスポイントの所与のスキャン期間におけるアクセスポイントビーコンミスを検出するステップと、
前記アクセスポイントビーコンミスがセルラーネットワーク信号の存在に相関付けられるかどうかを判断するステップと、
前記アクセスポイントビーコンミスがセルラーネットワーク信号の存在に相関付けられることに基づいて、前記干渉レベルが前記セルラーネットワーク干渉しきい値を上回らないまで、前記セルラーネットワーク信号に対応するセルラーネットワークチャネルについて以前のアクセスポイントビーコンRSSIを維持するステップと
を備える、請求項21に記載の方法。
【請求項２３】
前記除外するステップが、
前記セルラーネットワーク干渉しきい値を上回る干渉レベルを有するセルラーネットワーク信号に対して逐次干渉除去を実行することによって、クリーンセルラーネットワーク信号を生成するステップと、
前記クリーンセルラーネットワーク信号を前記WLANアクセスポイントに提供するステップと
を備える、請求項21に記載の方法。
【請求項２４】
前記クリーンセルラーネットワーク信号が、前記セルラーネットワーク干渉しきい値を上回る前記干渉レベルを有する前記セルラーネットワーク信号を含まず、ビーコン検出のための残りのWLANアクセスポイント信号のみを含む波形を備える、請求項23に記載の方法。
【請求項２５】
前記逐次干渉除去を前記実行するステップおよび前記提供するステップが、前記スモールセルと通信しているユーザデバイスによって実行される、請求項23に記載の方法。
【請求項２６】
前記逐次干渉除去を前記実行するステップおよび前記提供するステップが、前記スモールセルによって実行される、請求項23に記載の方法。
【請求項２７】
前記除外するステップが、
同じ事業者に属する複数のスモールセルの間で利用可能なWLANアクセスポイントチャネルのチャネルスキャンを同期させるステップであって、前記複数のスモールセルが前記スモールセルを含む、ステップと、
前記WLANアクセスポイントが前記スモールセルの現在のワイヤレス環境を判断するのを可能にするために、前記スモールセルをミュートするステップと
を備える、請求項21に記載の方法。
【請求項２８】
前記利用可能なチャネルが、前記セルラーネットワークを動作させるために利用可能なすべてのセルラーネットワークチャネルを備える、請求項11に記載の方法。
【請求項２９】
スモールセルによって運用されるワイヤレスローカルエリアネットワーク(WLAN)への干渉を低減するために、セルラーネットワーク用の動作チャネルを選択するための装置であって、
前記スモールセルによって、利用可能なチャネルのチャネルスキャンを実行するように構成された論理であって、前記スモールセルがWLANアクセスポイントとセルラーネットワークモデムとを備える、論理と、
前記チャネルスキャンに基づいて前記セルラーネットワーク用の前記動作チャネルとなるべきクリーンチャネルがあるかどうかを判断するように構成された論理であって、前記クリーンチャネルがWLAN干渉しきい値未満で前記WLANに干渉するチャネルを備える、論理と、
前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにするように構成された論理と
を備える装置。
【請求項３０】
前記クリーンチャネルが、RSSIしきい値未満の最大ビーコン受信信号強度インジケータ(RSSI)を有するチャネルを備える、請求項29に記載の装置。
【請求項３１】
前記WLAN干渉しきい値が、前記RSSIしきい値を備える、請求項30に記載の装置。
【請求項３２】
ユーティリティ値を、RSSIしきい値未満の最大ビーコンRSSIを有する各利用可能なチャネルに割り当てるように構成された論理であって、前記ユーティリティ値が雑音フロアおよび前記最大ビーコンRSSIに基づく、論理
をさらに備える、請求項29に記載の装置。
【請求項３３】
前記選択された動作チャネルが、最も高いユーティリティ値を有する利用可能なチャネルを備える、請求項32に記載の装置。
【請求項３４】
周期的にまたはイベントに応答して前記チャネルスキャンを実行するように構成された論理
をさらに備える、請求項29に記載の装置。
【請求項３５】
前記イベントが、前記WLANアクセスポイントまたは前記WLANアクセスポイントに接続されたユーザデバイスによる、しきい値よりも高い前記動作チャネルへの干渉の検出を備える、請求項34に記載の装置。
【請求項３６】
前記チャネルスキャンに基づいて新しい動作チャネルに切り替えるためのチャネル切替え基準が満たされたかどうかを判断するように構成された論理と、
前記チャネル切替え基準が満たされたと判断したことに基づいて、前記新しい動作チャネルに切り替えるように構成された論理と
をさらに備える、請求項29に記載の装置。
【請求項３７】
前記チャネル切替え基準が、新しいビーコンのビーコンRSSIが前記しきい値よりも大きいかどうかの指示および/または前記動作チャネルよりも高いユーティリティ値を有する新しいチャネルがあるかどうかの指示を備える、請求項36に記載の装置。
【請求項３８】
前記セルラーネットワークが、無認可スペクトル内のロングタームエボリューション(LTE)ネットワークを備える、請求項29に記載の装置。
【請求項３９】
スモールセルによって運用されるワイヤレスローカルエリアネットワーク(WLAN)への干渉を低減するために、セルラーネットワーク用の動作チャネルを選択するための装置であって、
前記スモールセルのセルラーネットワークモデムによって、前記セルラーネットワークを動作させるための利用可能なチャネルの第1のチャネルスキャンを実行するように構成された論理と、
前記スモールセルのWLANアクセスポイントによって、前記セルラーネットワークを動作させるための前記利用可能なチャネルの第2のチャネルスキャンを実行するように構成された論理と、
前記第1のチャネルスキャンに基づいて、セルラーネットワーク干渉しきい値を下回る干渉レベルを有する前記利用可能なチャネルのうちの1つまたは複数のセルラーネットワークチャネルを識別するように構成された論理と、
前記第2のチャネルスキャンに基づいて、前記識別された1つまたは複数のセルラーネットワークチャネルの中に前記セルラーネットワーク用の前記動作チャネルとなるべきクリーンチャネルがあるかどうかを判断するように構成された論理であって、前記クリーンチャネルがWLAN干渉しきい値未満で前記WLANに干渉するチャネルを備える、論理と、
前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにするように構成された論理と
を備える装置。
【請求項４０】
前記クリーンチャネルが、RSSIしきい値未満の最大ビーコン受信信号強度インジケータ(RSSI)を有するチャネルを備える、請求項39に記載の装置。
【請求項４１】
前記WLAN干渉しきい値が、前記RSSIしきい値を備える、請求項40に記載の装置。
【請求項４２】
ユーティリティ値を、RSSIしきい値未満の最大ビーコンRSSIを有する前記1つまたは複数のチャネルの各々に割り当てるように構成された論理であって、前記ユーティリティ値が雑音フロアおよび前記最大ビーコンRSSIに基づく、論理
をさらに備える、請求項39に記載の装置。
【請求項４３】
前記選択された動作チャネルが、最も高いユーティリティ値を有する利用可能なチャネルを備える、請求項42に記載の装置。
【請求項４４】
周期的にまたはイベントに応答して前記第1のチャネルスキャンおよび前記第2のチャネルスキャンを実行するように構成された論理
をさらに備える、請求項39に記載の装置。
【請求項４５】
前記イベントが、前記WLANアクセスポイントまたは前記WLANアクセスポイントに接続されたユーザデバイスによる、しきい値よりも高い前記動作チャネルへの干渉の検出を備える、請求項44に記載の装置。
【請求項４６】
前記第2のチャネルスキャンに基づいて新しい動作チャネルに切り替えるためのチャネル切替え基準が満たされたかどうかを判断するように構成された論理と、
前記チャネル切替え基準が満たされたと判断したことに基づいて、前記新しい動作チャネルに切り替えるように構成された論理と
をさらに備える、請求項39に記載の装置。
【請求項４７】
前記チャネル切替え基準が、新しいビーコンのビーコンRSSIが前記WLAN干渉しきい値よりも大きいかどうかの指示および/または前記動作チャネルよりも高いユーティリティ値を有する新しいチャネルがあるかどうかの指示を備える、請求項46に記載の装置。
【請求項４８】
前記セルラーネットワークが、無認可スペクトル内のロングタームエボリューション(LTE)ネットワークを備える、請求項39に記載の装置。
【請求項４９】
前記セルラーネットワーク干渉しきい値を下回る干渉レベルを有する前記セルラーネットワークチャネルが利用可能ではないことに基づいて、利用不可能なセルラーネットワークチャネルを除外するように構成された論理
をさらに備える、請求項39に記載の装置。
【請求項５０】
除外するように構成された前記論理が、
前記WLANアクセスポイントのスキャン期間と重複する、前記セルラーネットワーク干渉しきい値を上回る干渉レベルを有する任意のセルラーネットワーク信号を探索するために、ネットワークリッスンを実行するように構成された論理と、
前記WLANアクセスポイントの所与のスキャン期間におけるアクセスポイントビーコンミスを検出するように構成された論理と、
前記アクセスポイントビーコンミスがセルラーネットワーク信号の存在に相関付けられるかどうかを判断するように構成された論理と、
前記アクセスポイントビーコンミスがセルラーネットワーク信号の存在に相関付けられることに基づいて、前記干渉レベルが前記セルラーネットワーク干渉しきい値を上回らないまで、前記セルラーネットワーク信号に対応するセルラーネットワークチャネルについて以前のアクセスポイントビーコンRSSIを維持するように構成された論理と
を備える、請求項49に記載の装置。
【請求項５１】
除外するように構成された前記論理が、
前記セルラーネットワーク干渉しきい値を上回る干渉レベルを有するセルラーネットワーク信号に対して逐次干渉除去を実行することによって、クリーンセルラーネットワーク信号を生成するように構成された論理と、
前記クリーンセルラーネットワーク信号を前記WLANアクセスポイントに提供するように構成された論理と
を備える、請求項49に記載の装置。
【請求項５２】
前記クリーンセルラーネットワーク信号が、前記セルラーネットワーク干渉しきい値を上回る前記干渉レベルを有する前記セルラーネットワーク信号を含まず、ビーコン検出のための残りのWLANアクセスポイント信号のみを含む波形を備える、請求項51に記載の装置。
【請求項５３】
前記逐次干渉除去を前記実行するステップおよび前記提供するステップが、前記スモールセルと通信しているユーザデバイスによって実行される、請求項51に記載の装置。
【請求項５４】
前記逐次干渉除去を前記実行するステップおよび前記提供するステップが、前記スモールセルによって実行される、請求項51に記載の装置。
【請求項５５】
除外するように構成された前記論理が、
同じ事業者に属する複数のスモールセルの間で利用可能なWLANアクセスポイントチャネルのチャネルスキャンを同期させるように構成された論理であって、前記複数のスモールセルが前記スモールセルを含む、論理と、
前記WLANアクセスポイントが前記スモールセルの現在のワイヤレス環境を判断するのを可能にするために、前記スモールセルをミュートするように構成された論理と
を備える、請求項49に記載の装置。
【請求項５６】
前記利用可能なチャネルが、前記セルラーネットワークを動作させるために利用可能なすべてのセルラーネットワークチャネルを備える、請求項39に記載の装置。
【請求項５７】
スモールセル基地局によって運用されるワイヤレスローカルエリアネットワーク(WLAN)への干渉を低減するために、セルラーネットワーク用の動作チャネルを選択することが可能なスモールセル基地局であって、
セルラーネットワークモデムと、
利用可能なチャネルのチャネルスキャンを実行するように構成されたWLANアクセスポイントと、
前記チャネルスキャンに基づいて前記セルラーネットワーク用の前記動作チャネルとなるべきクリーンチャネルがあるかどうかを判断することであって、前記クリーンチャネルがWLAN干渉しきい値未満で前記WLANに干渉するチャネルを備える、判断することと、前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにすることとを行うように構成されたプロセッサと
を備えるスモールセル基地局。
【請求項５８】
スモールセル基地局によって運用されるワイヤレスローカルエリアネットワーク(WLAN)への干渉を低減するために、セルラーネットワーク用の動作チャネルを選択することが可能なスモールセル基地局であって、
前記セルラーネットワークを動作させるための利用可能なチャネルの第1のチャネルスキャンを実行するように構成されたセルラーネットワークモデムと、
前記セルラーネットワークを動作させるための前記利用可能なチャネルの第2のチャネルスキャンを実行するように構成されたWLANアクセスポイントと、
前記第1のチャネルスキャンに基づいて、セルラーネットワーク干渉しきい値を下回る干渉レベルを有する前記利用可能なチャネルのうちの1つまたは複数のセルラーネットワークチャネルを識別することと、前記第2のチャネルスキャンに基づいて、前記識別された1つまたは複数のセルラーネットワークチャネルの中に前記セルラーネットワーク用の前記動作チャネルとなるべきクリーンチャネルがあるかどうかを判断することであって、前記クリーンチャネルがWLAN干渉しきい値未満で前記WLANに干渉するチャネルを備える、判断することと、前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにすることとを行うように構成されたプロセッサと
を備えるスモールセル基地局。
【請求項５９】
スモールセルによって運用されるワイヤレスローカルエリアネットワーク(WLAN)への干渉を低減するために、セルラーネットワーク用の動作チャネルを選択するための装置であって、
前記スモールセルによって、利用可能なチャネルのチャネルスキャンを実行するための手段であって、前記スモールセルがWLANアクセスポイントとセルラーネットワークモデムとを備える、手段と、
前記チャネルスキャンに基づいて前記セルラーネットワーク用の前記動作チャネルとなるべきクリーンチャネルがあるかどうかを判断するための手段であって、前記クリーンチャネルがWLAN干渉しきい値未満で前記WLANに干渉するチャネルを備える、手段と、
前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにするための手段と
を備える装置。
【請求項６０】
スモールセルによって運用されるワイヤレスローカルエリアネットワーク(WLAN)への干渉を低減するために、セルラーネットワーク用の動作チャネルを選択するための装置であって、
前記スモールセルのセルラーネットワークモデムによって、前記セルラーネットワークを動作させるための利用可能なチャネルの第1のチャネルスキャンを実行するための手段と、
前記スモールセルのWLANアクセスポイントによって、前記セルラーネットワークを動作させるための前記利用可能なチャネルの第2のチャネルスキャンを実行するための手段と、
前記第1のチャネルスキャンに基づいて、セルラーネットワーク干渉しきい値を下回る干渉レベルを有する前記利用可能なチャネルのうちの1つまたは複数のセルラーネットワークチャネルを識別するための手段と、
前記第2のチャネルスキャンに基づいて、前記識別された1つまたは複数のセルラーネットワークチャネルの中に前記セルラーネットワーク用の前記動作チャネルとなるべきクリーンチャネルがあるかどうかを判断するための手段であって、前記クリーンチャネルがWLAN干渉しきい値未満で前記WLANに干渉するチャネルを備える、手段と、
前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにするための手段と
を備える装置。
【請求項６１】
スモールセルによって運用されるワイヤレスローカルエリアネットワーク(WLAN)への干渉を低減するために、セルラーネットワーク用の動作チャネルを選択するための非一時的コンピュータ可読媒体であって、
前記スモールセルによって、利用可能なチャネルのチャネルスキャンを実行するための少なくとも1つの命令であって、前記スモールセルがWLANアクセスポイントとセルラーネットワークモデムとを備える、少なくとも1つの命令と、
前記チャネルスキャンに基づいて前記セルラーネットワーク用の前記動作チャネルとなるべきクリーンチャネルがあるかどうかを判断するための少なくとも1つの命令であって、前記クリーンチャネルがWLAN干渉しきい値未満で前記WLANに干渉するチャネルを備える、少なくとも1つの命令と、
前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにするための少なくとも1つの命令と
を備える非一時的コンピュータ可読媒体。
【請求項６２】
スモールセルによって運用されるワイヤレスローカルエリアネットワーク(WLAN)への干渉を低減するために、セルラーネットワーク用の動作チャネルを選択するための非一時的コンピュータ可読媒体であって、
前記スモールセルのセルラーネットワークモデムによって、前記セルラーネットワークを動作させるための利用可能なチャネルの第1のチャネルスキャンを実行するための少なくとも1つの命令と、
前記スモールセルのWLANアクセスポイントによって、前記セルラーネットワークを動作させるための前記利用可能なチャネルの第2のチャネルスキャンを実行するための少なくとも1つの命令と、
前記第1のチャネルスキャンに基づいて、セルラーネットワーク干渉しきい値を下回る干渉レベルを有する前記利用可能なチャネルのうちの1つまたは複数のセルラーネットワークチャネルを識別するための少なくとも1つの命令と、
前記第2のチャネルスキャンに基づいて、前記識別された1つまたは複数のセルラーネットワークチャネルの中に前記セルラーネットワーク用の前記動作チャネルとなるべきクリーンチャネルがあるかどうかを判断するための少なくとも1つの命令であって、前記クリーンチャネルがWLAN干渉しきい値未満で前記WLANに干渉するチャネルを備える、少なくとも1つの命令と、
前記クリーンチャネルが利用可能であることに基づいて前記セルラーネットワーク用の前記動作チャネルとして前記クリーンチャネルを選択するか、または前記クリーンチャネルが利用可能ではないことに基づいて前記セルラーネットワークをオフにするための少なくとも1つの命令と
を備える非一時的コンピュータ可読媒体。
【発明の詳細な説明】
【技術分野】
【０００１】
関連出願の相互参照
本特許出願は、本出願の譲受人に譲渡され、その全体が参照により本明細書に明確に組み込まれる、2013年9月4日に出願された「CHANNEL SELECTION TO REDUCE INTERFERENCE TO A WIRELESS LOCAL AREA NETWORK FROM A CELLULAR NETWORK」という名称の米国仮出願第61/873,554号および2013年12月11日に出願された「MINIMIZING WI-FI ACCESS POINT MISDETECTION FOR CHANNEL SELECTION FOR LTE/LTE ADVANCED IN UNLICENSED SPECTRUM IN THE PRESENCE OF INTERFERENCE」という名称の米国仮出願第61/914,626号の利益を主張する。
【背景技術】
【０００２】
音声、データなど、様々なタイプの通信コンテンツを提供するために、ワイヤレス通信システムが広く配置されている。典型的なワイヤレス通信システムは、利用可能なシステムリソース(たとえば、帯域幅、送信電力など)を共有することによって、複数のユーザとの通信をサポートすることが可能な多元接続システムである。そのような多元接続システムの例は、符号分割多元接続(CDMA)システム、時分割多元接続(TDMA)システム、周波数分割多元接続(FDMA)システム、直交周波数分割多元接続(OFDMA)システムなどを含む。これらのシステムは、第3世代パートナーシッププロジェクト(3GPP)、3GPPロングタームエボリューション(LTE)、ウルトラモバイルブロードバンド(UMB)、エボリューションデータオプティマイズド(EV-DO)などの仕様に準拠して配置されることが多い。
【０００３】
セルラーネットワークでは、マクロスケール基地局(またはマクロノードB(MNB))は、ある一定の地理的エリアにわたって多数のユーザに対する接続およびカバレージを実現する。マクロネットワークの配置は、地理的領域にわたって良好なカバレージを与えるように、慎重に計画され、設計され、実施されている。しかしながら、そのような慎重な計画でも、特に屋内環境におけるフェージング、マルチパス、シャドーイングなどのチャネル特性に十分に対処することができない。したがって、屋内のユーザは、カバレージ問題(たとえば、呼停止および品質劣化)に直面することが多く、ユーザエクスペリエンスが悪くなる。
【０００４】
住宅およびオフィスビル用などの屋内のセルラーカバレージを拡大するために、追加のスモールカバレージ、典型的には低電力基地局が最近、従来のマクロネットワークを補うように配置され始めており、よりロバストなワイヤレスカバレージをモバイルデバイスに提供している。これらのスモールカバレージ基地局は、一般にホームノードBまたはホームeNB(総称してH(e)NB)、フェムトノード、フェムトセル、フェムトセル基地局、ピコノード、マイクロノードなどと呼ばれ、漸次的な容量の増大、より豊かなユーザエクスペリエンス、屋内または他の特定の地理的カバレージなどのために配置される。そのようなスモールカバレージ基地局は、たとえば、デジタル加入者回線(DSL)ルータまたはケーブルモデムを介して、インターネットおよびモバイル事業者のネットワークに接続され得る。
【０００５】
しかしながら、多数のスモールカバレージ基地局を無計画に配置すると、いくつかの点で問題が生じることがある。
【発明の概要】
【課題を解決するための手段】
【０００６】
本開示は、スモールセルによって運用されるワイヤレスローカルエリアネットワーク(WLAN)への干渉を低減するために、セルラーネットワーク用の動作チャネルを選択することに関する。スモールセルによって運用されるWLANへの干渉を低減するために、セルラーネットワーク用の動作チャネルを選択するための方法は、スモールセルによって、利用可能なチャネルのチャネルスキャンを実行するステップであって、スモールセルがWLANアクセスポイントとセルラーネットワークモデムとを備える、ステップと、チャネルスキャンに基づいてセルラーネットワークの動作チャネルとなるべきクリーンチャネルがあるかどうかを判断するステップであって、クリーンチャネルがWLAN干渉しきい値未満でWLANに干渉するチャネルを備える、ステップと、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにするステップとを含む。
【０００７】
スモールセルによって運用されるWLANへの干渉を低減するために、セルラーネットワーク用の動作チャネルを選択するための別の方法は、スモールセルのセルラーネットワークモデムによって、セルラーネットワークを動作させるための利用可能なチャネルの第1のチャネルスキャンを実行するステップと、スモールセルのWLANアクセスポイントによって、セルラーネットワークを動作させるための利用可能なチャネルの第2のチャネルスキャンを実行するステップと、第1のチャネルスキャンに基づいて、セルラーネットワーク干渉しきい値を下回る干渉レベルを有する利用可能なチャネルのうちの1つまたは複数のセルラーネットワークチャネルを識別するステップと、第2のチャネルスキャンに基づいて、識別された1つまたは複数のセルラーネットワークチャネルの中にセルラーネットワーク用の動作チャネルとなるべきクリーンチャネルがあるかどうかを判断するステップであって、クリーンチャネルがWLAN干渉しきい値未満でWLANに干渉するチャネルを備える、ステップと、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにするステップとを含む。
【０００８】
スモールセルによって運用されるWLANへの干渉を低減するために、セルラーネットワーク用の動作チャネルを選択するための装置は、スモールセルによって、利用可能なチャネルのチャネルスキャンを実行するように構成された論理であって、スモールセルがWLANアクセスポイントとセルラーネットワークモデムとを備える、論理と、チャネルスキャンに基づいてセルラーネットワーク用の動作チャネルとなるべきクリーンチャネルがあるかどうかを判断するように構成された論理であって、クリーンチャネルがWLAN干渉しきい値未満でWLANに干渉するチャネルを備える、論理と、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにするように構成された論理とを含む。
【０００９】
スモールセルによって運用されるワイヤレスローカルエリアネットワーク(WLAN)への干渉を低減するために、セルラーネットワーク用の動作チャネルを選択するための別の装置は、スモールセルのセルラーネットワークモデムによって、セルラーネットワークを動作させるための利用可能なチャネルの第1のチャネルスキャンを実行するように構成された論理と、スモールセルのWLANアクセスポイントによって、セルラーネットワークを動作させるための利用可能なチャネルの第2のチャネルスキャンを実行するように構成された論理と、第1のチャネルスキャンに基づいて、セルラーネットワーク干渉しきい値を下回る干渉レベルを有する利用可能なチャネルのうちの1つまたは複数のセルラーネットワークチャネルを識別するように構成された論理と、第2のチャネルスキャンに基づいて、識別された1つまたは複数のセルラーネットワークチャネルの中にセルラーネットワーク用の動作チャネルとなるべきクリーンチャネルがあるかどうかを判断するように構成された論理であって、クリーンチャネルがWLAN干渉しきい値未満でWLANに干渉するチャネルを備える、論理と、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにするように構成された論理とを含む。
【００１０】
スモールセル基地局によって運用されるWLANへの干渉を低減するために、セルラーネットワーク用の動作チャネルを選択することが可能なスモールセル基地局は、セルラーネットワークモデムと、利用可能なチャネルの初期チャネルスキャンを実行するように構成されたWLANアクセスポイントと、チャネルスキャンに基づいてセルラーネットワーク用の動作チャネルとなるべきクリーンチャネルがあるかどうかを判断することであって、クリーンチャネルがWLAN干渉しきい値未満でWLANに干渉するチャネルを備える、判断することと、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにすることとを行うように構成されたプロセッサとを含む。
【００１１】
スモールセル基地局によって運用されるWLANへの干渉を低減するために、セルラーネットワーク用の動作チャネルを選択することが可能なスモールセル基地局は、セルラーネットワークを動作させるための利用可能なチャネルの第1のチャネルスキャンを実行するように構成されたセルラーネットワークモデムと、セルラーネットワークを動作させるための利用可能なチャネルの第2のチャネルスキャンを実行するように構成されたWLANアクセスポイントと、第1のチャネルスキャンに基づいて、セルラーネットワーク干渉しきい値を下回る干渉レベルを有する利用可能なチャネルのうちの1つまたは複数のセルラーネットワークチャネルを識別することと、第2のチャネルスキャンに基づいて、識別された1つまたは複数のセルラーネットワークチャネルの中にセルラーネットワーク用の動作チャネルとなるべきクリーンチャネルがあるかどうかを判断することであって、クリーンチャネルがWLAN干渉しきい値未満でWLANに干渉するチャネルを備える、判断することと、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにすることとを行うように構成されたプロセッサとを含む。
【００１２】
スモールセルによって運用されるワイヤレスローカルエリアネットワーク(WLAN)への干渉を低減するために、セルラーネットワーク用の動作チャネルを選択するための装置は、スモールセルによって、利用可能なチャネルのチャネルスキャンを実行するための手段であって、スモールセルがWLANアクセスポイントとセルラーネットワークモデムとを備える、手段と、チャネルスキャンに基づいてセルラーネットワーク用の動作チャネルとなるべきクリーンチャネルがあるかどうかを判断するための手段であって、クリーンチャネルがWLAN干渉しきい値未満でWLANに干渉するチャネルを備える、手段と、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにするための手段とを含む。
【００１３】
スモールセルによって運用されるWLANへの干渉を低減するために、セルラーネットワーク用の動作チャネルを選択するための装置は、スモールセルのセルラーネットワークモデムによって、セルラーネットワークを動作させるための利用可能なチャネルの第1のチャネルスキャンを実行するための手段と、スモールセルのWLANアクセスポイントによって、セルラーネットワークを動作させるための利用可能なチャネルの第2のチャネルスキャンを実行するための手段と、第1のチャネルスキャンに基づいて、セルラーネットワーク干渉しきい値を下回る干渉レベルを有する利用可能なチャネルのうちの1つまたは複数のセルラーネットワークチャネルを識別するための手段と、第2のチャネルスキャンに基づいて、識別された1つまたは複数のセルラーネットワークチャネルの中にセルラーネットワーク用の動作チャネルとなるべきクリーンチャネルがあるかどうかを判断するための手段であって、クリーンチャネルがWLAN干渉しきい値未満でWLANに干渉するチャネルを備える、手段と、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにするための手段とを含む。
【００１４】
スモールセルによって運用されるWLANへの干渉を低減するために、セルラーネットワーク用の動作チャネルを選択するための非一時的コンピュータ可読媒体は、スモールセルによって、利用可能なチャネルのチャネルスキャンを実行するための少なくとも1つの命令であって、スモールセルがWLANアクセスポイントとセルラーネットワークモデムとを備える、少なくとも1つの命令と、チャネルスキャンに基づいてセルラーネットワーク用の動作チャネルとなるべきクリーンチャネルがあるかどうかを判断するための少なくとも1つの命令であって、クリーンチャネルがWLAN干渉しきい値未満でWLANに干渉するチャネルを備える、少なくとも1つの命令と、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにするための少なくとも1つの命令とを含む。
【００１５】
スモールセルによって運用されるWLANへの干渉を低減するために、セルラーネットワーク用の動作チャネルを選択するための非一時的コンピュータ可読媒体は、スモールセルのセルラーネットワークモデムによって、セルラーネットワークを動作させるための利用可能なチャネルの第1のチャネルスキャンを実行するための少なくとも1つの命令と、スモールセルのWLANアクセスポイントによって、セルラーネットワークを動作させるための利用可能なチャネルの第2のチャネルスキャンを実行するための少なくとも1つの命令と、第1のチャネルスキャンに基づいて、セルラーネットワーク干渉しきい値を下回る干渉レベルを有する利用可能なチャネルのうちの1つまたは複数のセルラーネットワークチャネルを識別するための少なくとも1つの命令と、第2のチャネルスキャンに基づいて、識別された1つまたは複数のセルラーネットワークチャネルの中にセルラーネットワーク用の動作チャネルとなるべきクリーンチャネルがあるかどうかを判断するための少なくとも1つの命令であって、クリーンチャネルがWLAN干渉しきい値未満でWLANに干渉するチャネルを備える、少なくとも1つの命令と、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにするための少なくとも1つの命令とを含む。
【００１６】
添付の図面は、本開示の様々な態様の説明を助けるために提示され、態様の限定ではなく、態様の例示のためのみに提供される。
【図面の簡単な説明】
【００１７】
【図１】多元接続通信の原理を示す例示的なワイヤレス通信ネットワークを示す図である。
【図２Ａ】スモールセルがマクロセルとともに配置される例示的な混合通信ネットワーク環境を示す図である。
【図２Ｂ】本開示の1つまたは複数の態様によるスモールセルの一例を示す図である。
【図３】本開示の1つまたは複数の態様によるスモールセル装置の一例を示す図である。
【図４Ａ】本開示の少なくとも1つの態様による、ワイヤレスローカルエリアネットワーク(WLAN)への干渉を低減するためのセルラーネットワークチャネル選択のための例示的なフローを示す図である。
【図４Ｂ】本開示の少なくとも1つの態様による、WLANへの干渉を低減するためのセルラーネットワークチャネル選択のための例示的なフローを示す図である。
【図４Ｃ】本開示の少なくとも1つの態様による、WLANへの干渉を低減するためのセルラーネットワークチャネル選択のための例示的なフローを示す図である。
【図４Ｄ】本開示の少なくとも1つの態様による、WLANへの干渉を低減するためのセルラーネットワークチャネル選択のための例示的なフローを示す図である。
【図５】干渉がある場合に無認可スペクトル内のロングタームエボリューション(LTE)/LTEアドバンストのチャネル選択のWLANアクセスポイント誤検出を最小限に抑えるための例示的なフローを示す図である。
【図６Ａ】本開示の少なくとも1つの態様による、WLANへの干渉を低減するためのセルラーネットワークチャネル選択のための例示的なフローを示す図である。
【図６Ｂ】本開示の少なくとも1つの態様による、WLANへの干渉を低減するためのセルラーネットワークチャネル選択のための例示的なフローを示す図である。
【図７】本開示の一態様による、機能を実行するように構成された論理を含む通信デバイスを示す図である。
【図８】通信ノードにおいて利用され、本明細書で教示する通信をサポートするように構成され得る構成要素のいくつかのサンプル態様の簡略ブロック図である。
【図９】本明細書で教示する通信をサポートするように構成された装置のいくつかのサンプル態様の他の簡略ブロック図である。
【図１０】本明細書で教示する通信をサポートするように構成された装置のいくつかのサンプル態様の他の簡略ブロック図である。
【発明を実施するための形態】
【００１８】
本開示は、セルラーネットワークからワイヤレスローカルエリアネットワーク(WLAN)への干渉を低減するためのチャネル選択に関する。スモールセルは、セルラーネットワークを確立するために利用可能な「クリーン」チャネルがあれば、WLANに加えて、無認可スペクトル内のロングタームエボリューション(LTE)/LTEアドバンストネットワークなどのセルラーネットワークを確立することができる。スモールセルは、他の場合であれば、フェムトセル局モデム(FSM)などの、そのコロケートされたセルラーモデムがそれ自体で収集するであろう測定値に加えて、またはその代わりに、そのコロケートされたアクセスポイント(AP)によって収集された測定値を使用して、クリーンチャネルが利用可能であるかどうかを判断することができる。APは、スモールセルのコントローラ/プロセッサおよび/または内部バスを使用して、これらの測定値をセルラーモデムに提供することができる。これらの測定値は、ネットワークリッスンモジュール(NLM)および/またはアタッチされたユーザデバイスに由来し得る。クリーンチャネル上のみでセルラーネットワークを確立することによって、WLANへのセルラーネットワークの干渉が軽減される。
【００１９】
本開示はさらに、干渉がある場合に無認可スペクトル内のLTE/LTEアドバンスト用のチャネル選択のためのWLAN AP誤検出を最小限に抑えることに関する。AP誤検出を軽減するために、スモールセルは、無認可スペクトル内のLTE/LTEアドバンストの測定用にそのコロケートされたNLMを活用し、そのNLMを使用してWLAN APスキャン報告を適切にフィルタリングすることができる。最初に、スモールセルは、無認可スペクトル内のLTE/LTEアドバンストにおける存在感が強いチャネルを回避する。無認可スペクトル内のLTE/LTEアドバンストにおける残りの弱いチャネルの中で、少なくとも1つが利用可能であると仮定して、スモールセルはクリーン/非クリーンチャネルを判断するためにWLANしきい値を使用する。チャネルのサブセットが無認可スペクトル内のLTE/LTEアドバンストにおいて強い存在感を示す場合、スモールセルは、これらのチャネル上のビーコンを検出するために、チャネルデータベースを「フリーズ」するか、または逐次干渉除去(SIC:Successive Interference Cancellation)を使用する。
【００２０】
以下の説明および関連する図面において、これらおよび他の態様について説明する。本開示の範囲から逸脱することなく、代替の態様が考案され得る。加えて、本開示の関連する詳細を不明瞭にしないように、本開示のよく知られている要素は詳細に説明されないか、または省略される。
【００２１】
「例示的」という言葉は、本明細書では「一例、事例、または例示として役立つ」ことを意味するように使用される。「例示的」として本明細書で説明するいずれの態様も、必ずしも他の態様よりも好ましいか、または有利であると解釈されるとは限らない。同様に、「本開示の態様」という用語は、本開示のすべての態様が、論じられた特徴、利点または動作モードを含むことを要求しない。
【００２２】
本明細書で使用する用語は、特定の態様について説明することのみを目的としており、本開示を限定するものではない。本明細書で使用する場合、単数形「a」、「an」、および「the」は、文脈が別段に明確に示さない限り、複数形をも含むものとする。「comprises(備える)」、「comprising(備える)」、「includes(含む)」および/または「including(含む)」という用語は、本明細書で使用する場合、記述する特徴、整数、ステップ、動作、要素および/または構成要素の存在を明示するものであって、1つまたは複数の他の特徴、整数、ステップ、動作、要素、構成要素および/またはそのグループの存在または追加を排除するものではないことがさらに理解されよう。
【００２３】
さらに、様々な態様について、たとえばコンピューティングデバイスの要素によって実行されるべき動作のシーケンスに関して説明する。本明細書で説明する様々な動作は、特定の回路(たとえば、特定用途向け集積回路(ASIC))によって、1つもしくは複数のプロセッサによって実行されるプログラム命令によって、または両方の組合せによって実行され得ることを認識されよう。加えて、本明細書で説明するこれらの動作のシーケンスは、実行時に、関連するプロセッサに本明細書で説明する機能を実行させるコンピュータ命令の対応するセットを記憶した、任意の形態のコンピュータ可読記憶媒体内で完全に具現化されるものと見なされ得る。したがって、本開示の様々な態様は、特許請求される主題の範囲内にすべて入ることが企図されているいくつかの異なる形態で具現化され得る。加えて、本明細書で説明する態様ごとに、任意のそのような態様の対応する形態について、たとえば、説明する動作を実行する「ように構成された論理」として本明細書で説明することがある。
【００２４】
本明細書で説明する技法は、マクロスケールカバレージ(たとえば、一般にマクロセルネットワークと呼ばれる、3Gまたは4Gネットワークなどの広域セルラーネットワーク)と、より小規模のカバレージ(たとえば、住宅ベースまたはビルベースのネットワーク環境)とを含むネットワーク内で利用され得る。ユーザデバイスがそのようなネットワークを移動するとき、ユーザデバイスは、あるロケーションではマクロカバレージを提供する基地局によって、他のロケーションではより小規模のカバレージを提供する基地局によって、サービスされ得る。上記の背景技術で簡単に説明したように、より小規模のカバレージ基地局は、かなりの容量の増大、屋内のカバレージ、および場合によっては、よりロバストなユーザエクスペリエンスのための異なるサービスを提供するために使用され得る。本明細書の説明では、比較的大きいエリアにわたってカバレージを提供する基地局は通常、マクロ基地局と呼ばれるが、比較的小さいエリア(たとえば、住宅)にわたってカバレージを提供する基地局は通常、フェムト基地局またはスモールセルと呼ばれる。マクロエリアよりも小さいがフェムトエリアよりも大きいエリアにわたってカバレージを提供する中間の基地局は通常、(たとえば、商業ビル内のカバレージを提供する)ピコ基地局と呼ばれる。しかしながら、便宜上、本明細書の開示では、ピコ基地局が同じまたは同様の機能をより大きいカバレージエリアに提供し得るという理解のもとで、フェムト基地局の文脈でスモールカバレージ基地局に関連する様々な機能について説明することがある。マクロ基地局、フェムト基地局、またはピコ基地局に関連付けられたセルはそれぞれ、マクロセル、フェムトセル、またはピコセルと呼ばれ得る。いくつかのシステム実装形態では、各セルは、1つまたは複数のセクタにさらに関連付けられ(たとえば、分割され)得る。
【００２５】
様々な適用例では、他の用語はマクロ基地局、フェムト基地局、ピコ基地局、ユーザデバイス、および他のデバイスを参照するために使用され得ること、そのような用語の使用は一般に、説明する態様またはさもなければ本明細書の説明によって容易になる態様に関して、特定の技術を援用するかまたは除外するものではないことを諒解されよう。たとえば、マクロ基地局は、マクロノード、ノードB、発展型ノードB(eノードB)、マクロセルなどとして構成されるか、または代替的にそのように呼ばれ得る。フェムト基地局は、フェムトノード、ホームノードB、ホームeノードB、フェムトセル、スモールセルなどとして構成されるか、または代替的にそのように呼ばれ得る。ユーザデバイスは、デバイス、ユーザ機器(UE)、加入者ユニット、加入者局、移動局、モバイルデバイス、アクセス端末などとして構成されるか、または代替的にそのように呼ばれ得る。便宜上、本明細書の開示では、一般的な「基地局」および「ユーザデバイス」の文脈で様々な機能について説明する傾向があり、これは、説明の特定の文脈によって別段に規定されていない限り、すべてのワイヤレスシステムにおいて対応する技術および用語をカバーするものとする。
【００２６】
図1は、多元接続通信の原理を示す例示的なワイヤレス通信ネットワークを示す。図示したワイヤレス通信ネットワーク100は、何人かのユーザ間の通信をサポートするように構成される。示されるように、ワイヤレス通信ネットワーク100は、図示のセル102A〜102Gなどの1つまたは複数のセル102に分割され得る。セル102A〜102Gにおける通信カバレージは、図示の基地局104A〜104Gなどの1つまたは複数の基地局104によって提供され得る。このようにして、各基地局104は通信カバレージを対応するセル102に提供し得る。基地局104は、図示のユーザデバイス106A〜106Lなどの複数のユーザデバイス106と対話し得る。
【００２７】
各ユーザデバイス106は、ダウンリンク(DL)および/またはアップリンク(UL)上で基地局104のうちの1つまたは複数と通信し得る。一般に、DLは基地局からユーザデバイスへの通信リンクであるが、ULはユーザデバイスから基地局への通信リンクである。基地局104は、基地局104が互いにおよび/または他のネットワーク機器と通信することを可能にする適切なワイヤードインターフェースまたはワイヤレスインターフェースによって相互接続され得る。したがって、各ユーザデバイス106も、基地局104のうちの1つまたは複数を通じて別のユーザデバイス106と通信し得る。たとえば、ユーザデバイス106Jは、ユーザデバイス106Hと以下の方法で通信し得る。ユーザデバイス106Jは基地局104Dと通信し得、次いで、基地局104Dは基地局104Bと通信し得、次いで、基地局104Bはユーザデバイス106Hと通信し得、ユーザデバイス106Jとユーザデバイス106Hとの間で通信を確立することができる。
【００２８】
ワイヤレス通信ネットワーク100は、大きい地理的領域にわたってサービスを提供し得る。たとえば、セル102A〜102Gは、近傍内の数ブロック、または地方環境における数平方マイルをカバーし得る。上記で述べたように、いくつかのシステムでは、各セルは1つまたは複数のセクタ(図示せず)にさらに分割され得る。加えて、基地局104は、ユーザデバイス106に、インターネットまたは別のセルラーネットワークなどの他の通信ネットワークへのそのそれぞれのカバレージエリア内のアクセスを提供し得る。上記でさらに述べたように、各ユーザデバイス106は、通信ネットワーク上で音声またはデータを送信および受信するためにユーザによって使用されるワイヤレス通信デバイス(たとえば、モバイルフォン、ルータ、パーソナルコンピュータ、サーバなど)であり得、代替的にアクセス端末(AT)、移動局(MS)、ユーザ機器(UE)などと呼ばれ得る。図1に示す例では、ユーザデバイス106A、106H、および106Jはルータを備えるが、ユーザデバイス106B〜106G、106I、106K、および106Lはモバイルフォンを備える。しかしながら、やはり、ユーザデバイス106A〜106Lの各々は任意の適切な通信デバイスを備え得る。
【００２９】
図2Aは、スモールセル210および212がマクロセルとともに配置される例示的な混合通信ネットワーク環境200を示す。ここでは、マクロ基地局205は通信カバレージをマクロエリア230内の図示のユーザデバイス220、221、および222などの1つまたは複数のユーザデバイスに提供し得るが、スモールセル210および212はそれぞれのエリア215および217内でそれ自体の通信カバレージを提供し得、異なるカバレージエリア間で重複の程度が異なる。この例では、図示のユーザデバイス222などの少なくともいくつかのユーザデバイスは、マクロ環境(たとえば、マクロエリア)とより小規模のネットワーク環境(たとえば、宅内、フェムトエリア、ピコエリアなど)の両方で動作することが可能であり得る。
【００３０】
示される接続では、ユーザデバイス220は、メッセージを生成し、ワイヤレスリンクを介してマクロ基地局205にメッセージを送信し得、メッセージは様々なタイプの通信(たとえば、音声、データ、マルチメディアサービスなど)に関連する情報を含む。ユーザデバイス222は同様にワイヤレスリンクを介してスモールセル210と通信し得、ユーザデバイス221は同様にワイヤレスリンクを介してスモールセル212と通信し得る。マクロ基地局205もワイヤードリンクを介してまたはワイヤレスリンクを介して対応するワイドエリアネットワークまたは外部ネットワーク240(たとえば、インターネット)と通信し得るが、スモールセル210および212も同様にそれ自体のワイヤードリンクまたはワイヤレスリンクを介してネットワーク240と通信し得る。たとえば、スモールセル210および212は、デジタル加入者回線(DSL、たとえば、非対称DSL(ADSL)、高データレートDSL(HDSL)、超高速DSL(VDSL)などを含む)、IPトラフィックを搬送するTVケーブル、電力線ブロードバンド(BPL)接続、光ファイバ(OF)リンク、または何らかの他のリンクを介してなど、インターネットプロトコル(IP)接続によってネットワーク240と通信し得る。
【００３１】
ネットワーク240は、たとえば、以下のネットワーク、すなわち、インターネット、イントラネット、ローカルエリアネットワーク(LAN)、またはワイドエリアネットワーク(WAN)を含む、任意のタイプの電子的に接続されたグループのコンピュータおよび/またはデバイスを備え得る。加えて、ネットワークへの接続は、たとえば、リモートモデム、イーサネット（登録商標）(IEEE802.3)、トークンリング(IEEE802.5)、ファイバ分散データリンクインターフェース(FDDI)非同期転送モード(ATM)、ワイヤレスイーサネット（登録商標）(IEEE802.11)、Bluetooth（登録商標）(IEEE802.15.1)、または何らかの他の接続によるものであり得る。本明細書で使用する場合、ネットワーク240は、公衆インターネット、インターネット内のプライベートネットワーク、インターネット内のセキュアネットワーク、プライベートネットワーク、公衆ネットワーク、付加価値ネットワーク、イントラネットなどのネットワーク変形形態を含む。いくつかのシステムでは、ネットワーク240は仮想プライベートネットワーク(VPN)も備え得る。
【００３２】
したがって、マクロ基地局205ならびに/あるいはスモールセル210および212のいずれかまたは両方は、複数のデバイスまたは方法のうちのいずれかを使用してネットワーク240に接続され得ることが諒解されよう。これらの接続は、ネットワークの「バックボーン」または「バックホール」と呼ばれ得る。無線ネットワークコントローラ(RNC)、基地局コントローラ(BSC)、または別のデバイスもしくはシステム(図示せず)などのデバイスは、2つ以上のマクロ基地局、ピコ基地局、および/またはスモールセルの間の通信を管理するために使用され得る。このようにして、たとえば、ユーザデバイス222の現在のロケーションに応じて、ユーザデバイス222はマクロ基地局205によってまたはスモールセル210によって通信ネットワーク240にアクセスし得る。
【００３３】
図2Bは、本開示の1つまたは複数の態様によるスモールセル250の一例を示す。スモールセル250は、図2Aに示すスモールセル210および/またはスモールセル212に対応し得る。スモールセル250は、ワイヤレスローカルエリアネットワーク(WLAN)エアインターフェース(たとえば、IEEE802.11xプロトコルによる)ならびにセルラーエアインターフェース(たとえば、LTEプロトコルによる)を提供することが可能であり得る。示されるように、この点について、スモールセル250は、フェムトセル局モデム(FSM)などのセルラーモデム254とコロケートした802.11xアクセスポイント(AP)252を含むことができる。AP252およびセルラーモデム254は、(たとえば、対応するキャリア周波数上の)1つまたは複数のチャネルのモニタリングを実行して、それぞれ対応するネットワークリッスン(NL)モジュール256および258または他の適切な構成要素を使用して対応するチャネル品質(たとえば、受信信号強度)を判断し得る。別個のモジュールとして示されているが、NLモジュール256および258は単一のNLモジュールに存在してもよい。
【００３４】
スモールセル250はホスト260も含み得、ホスト260は1つまたは複数の汎用コントローラまたはプロセッサと、関連するデータまたは命令を記憶するように構成されたメモリとを含み得る。ホスト260は、通信のために使用される1つまたは複数の適切な無線技術、ならびにスモールセル250に関する他の機能に従って、処理を実行し得る。
【００３５】
スモールセル250は、それぞれ局(STA)262およびUE264として示されるAP252およびセルラーモデム254を介して、1つまたは複数のワイヤレスデバイスと通信し得る。図2Bは単一のSTA262および単一のUE264を示しているが、スモールセル250は複数のSTAおよび/またはUEと通信することができることが諒解されよう。加えて、図2BはAP252(すなわち、STA262)を介してスモールセル250と通信するあるタイプのワイヤレスデバイスと、セルラーモデム254(すなわち、UE264)を介してスモールセル250と通信する別のタイプのワイヤレスデバイスとを示しているが、単一のワイヤレスデバイスはAP252とセルラーモデム254の両方を介して同時にまたは異なる時にのいずれかでスモールセル250と通信することが可能であり得ることが諒解されよう。
【００３６】
図3は、本開示の1つまたは複数の態様によるスモールセル301の一例を示す。スモールセル301は、スモールセル210、212、および/または250のいずれかに対応し得る。スモールセルの内部構成要素は異なるハードウェア構成を用いて具現化され得るが、内部ハードウェア構成要素の基本的なハイレベル構成は図3に示されている。示されるように、スモールセル301は、1つまたは複数のユーザデバイス302と通信するための様々な動作を実行する、対応するTXデータプロセッサ310と、シンボル変調器320と、送信機ユニット(TMTR)330と、アンテナ340と、受信機ユニット(RCVR)350と、シンボル復調器360と、RXデータプロセッサ370と、構成情報プロセッサ380とを含む。スモールセル301はまた、1つまたは複数の汎用コントローラまたはプロセッサ(コントローラ/プロセッサ382として単数形で示されている)と、関連するデータまたは命令を記憶するように構成されたメモリ384とを含み得る。全体として、バス386を介して、これらのユニットは、通信のために使用される1つまたは複数の適切な無線技術、ならびにスモールセル301に関する他の機能に従って、処理を実行し得る。
【００３７】
スモールセル301は、ワイヤレスローカルエリアネットワークエアインターフェース(たとえば、IEEE802.11xプロトコルによる)ならびにセルラーエアインターフェース(たとえば、LTEプロトコルによる)を提供することが可能であり得る。示されるように、この点について、スモールセル301は、セルラーモデム394とコロケートした802.11x AP392を含む。AP392およびセルラーモデム394はそれぞれ、図2Bに示すAP252およびセルラーモデム254に対応し得る。AP392およびセルラーモデム394は、(たとえば、対応するキャリア周波数上の)1つまたは複数のチャネルのモニタリングを実行して、(それぞれ、NLM396およびNLM398として示す)ネットワークリッスンモジュール(NLM)または他の適切な構成要素を使用して対応するチャネル品質(たとえば、受信信号強度)を判断し得る。いくつかの設計では、これらの構成要素のうちの1つまたは複数の機能は、時としてメモリ384とともに、スモールセル301の汎用コントローラ/プロセッサ382に直接統合されるか、またはさもなければそれによって実行され得ることが諒解されよう。
【００３８】
スモールセル301は、AP392および/またはセルラーモデム394を介してユーザデバイス302と通信し得る。単一のユーザデバイス302はAP392とセルラーモデム394の両方を介して同時にまたは異なる時にのいずれかでスモールセル301と通信することが可能であり得ることが諒解されよう。本開示では、ユーザデバイス302がWLAN固有の測定を行うおよび/またはWLAN固有の測定値を提供する、あるいはWLAN固有の機能を実行すると呼ばれる場合、そのユーザデバイス302はAP392に接続されていると理解される。同様に、ユーザデバイス302がセルラーネットワーク固有の測定を行うおよび/またはセルラーネットワーク固有の測定値を提供する、あるいはセルラーネットワーク固有の機能を実行すると呼ばれる場合、そのユーザデバイス302はセルラーモデム394に接続されていると理解される。
【００３９】
一般に、AP392は、産業科学医療(ISM)用無線帯域などのワイヤレススペクトルの無認可部分にわたって、そのエアインターフェース(たとえば、IEEE802.11xプロトコルによる)を提供し得るが、セルラーモデム394は、セルラー通信用に確保されたワイヤレス帯域の許可部分にわたって、そのエアインターフェース(たとえば、LTEプロトコルによる)を提供し得る。しかしながら、セルラーモデム394はまた、ワイヤレススペクトルの無認可部分にわたって、セルラー(たとえば、LTE)接続を提供するように構成され得る。このタイプの無認可セルラー動作は、ワイヤレススペクトルの許可部分(たとえば、LTE補助ダウンリンク(SDL:Supplemental DownLink))およびワイヤレススペクトルの無認可部分(たとえば、LTE無認可(LTE-Unlicensed))で動作するアンカー許可キャリア(anchor licensed carrier)の使用を含み得るか、またはアンカー許可キャリアを使用することなく動作するスタンドアロン構成(たとえば、LTEスタンドアロン)であり得る。
【００４０】
したがって、本開示の態様は、本明細書で説明する機能を実行する能力を含むスモールセル(たとえば、スモールセル301)を含むことができる。当業者によって諒解されるように、様々な論理要素は、本明細書で開示する機能を達成するために、個別の要素、プロセッサ(たとえば、コントローラ/プロセッサ382)上で実行されるソフトウェアモジュール、あるいはソフトウェアおよび/またはハードウェアの任意の組合せにおいて具現化され得る。たとえば、送信機330、受信機350、プロセッサ/コントローラ382、メモリ384、NLM396、AP392、NLM398、およびセルラーモデム394をすべて協調的に使用して、本明細書で開示する様々な機能をロード、記憶、および実行することができ、したがって、これらの機能を実行するための論理は様々な要素に分散され得る。代替的に、機能は1つの個別構成要素に組み込まれ得る。したがって、スモールセル301の特徴は、例示的なものにすぎないと見なされ、本開示は、図示の特徴または構成に限定されない。
【００４１】
たとえば、AP392および/またはNLM396は、たとえば、図4Bの410Bに関して以下で説明するように、利用可能なチャネルのチャネルスキャンを実行するように構成され得る。プロセッサ382は、たとえば、図4Bの415Bに関して以下で説明するように、チャネルスキャンに基づいてセルラーネットワーク用の動作チャネルとなるべきクリーンチャネルがあるかどうかを判断するように構成され得る。プロセッサ382は、たとえば、図4Bの420Bに関して以下で説明するように、クリーンチャネルが利用可能であることに基づいてセルラーネットワーク用の動作チャネルとしてクリーンチャネルを選択するか、または、たとえば、図4Bの450Bに関して以下で説明するように、クリーンチャネルが利用可能ではないことに基づいてセルラーネットワークをオフにするようにさらに構成され得る。
【００４２】
別の例として、セルラーモデム394および/またはNLM398は、たとえば、図5の510に関して以下で説明するように、セルラーネットワークを動作させるための利用可能なチャネルの第1のチャネルスキャンを実行するように構成され得る。AP392および/またはNLM396は、たとえば、図4Dの410Dに関して以下で説明するように、セルラーネットワークを動作させるための利用可能なチャネルの第2のチャネルスキャンを実行するように構成され得る。プロセッサ382は、たとえば、図5の520に関して以下で説明するように、第1のチャネルスキャンに基づいて、セルラーネットワーク干渉しきい値を下回る干渉レベルを有する利用可能なチャネルのうちの1つまたは複数のセルラーネットワークチャネルを識別するように構成され得る。プロセッサ382は、たとえば、図4Dの415Dに関して以下で説明するように、第2のチャネルスキャンに基づいて、識別された1つまたは複数のセルラーネットワークチャネルの中にセルラーネットワーク用の動作チャネルとなるべきクリーンチャネルがあるかどうかを判断するようにさらに構成され得る。プロセッサ382は、たとえば、図4Dの420Dに関して以下で説明するように、クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにするようにさらに構成され得る。
【００４３】
時々、スモールセル301は、必要とする無認可スペクトル内の様々な無線リソース管理決定を実行するか、またはさもなければ1つまたは複数のユーザデバイス302からの様々な無線リソース測定値を利用し得る。測定は、受信された無線信号(たとえば、信号品質)を解析するおよび/またはトラフィック統計値(たとえば、チャネル利用率)を収集することによって実行され得る。従来、これらの測定は、AP392と所与のユーザデバイス302との間のWLANリンクにわたって実行される。IEEE802.11仕様のIEEE802.11k改訂は、たとえば、WLANのワイヤレス局がその無線環境に自動的に適応するのを可能にする、IEEE802.11システムにおける無線リソース測定のための機構を提供する。ワイヤレス局は、ローカルに測定を行うことができるとともに、ワイヤレス局がダイレクト無線通信を可能にする関連付けを有する相手である他のワイヤレス局からの測定値を要求することができる。このようにして、たとえば、AP392は、同じ基本サービスセット(BSS)内の別のワイヤレス局(たとえば、ユーザデバイス302のうちの1つ)からの無線リソース測定値を要求することができ、その逆も同様である。しかしながら、このシグナリング方式は、スタンドアロンワイヤレス局が、保証されていないスモールセル301内のAP392と関連付けられることを必要とする。
【００４４】
スモールセル301は、セルラーネットワークを確立するために利用可能な「クリーン」チャネルがあれば、WLANに加えて、無認可スペクトル内のLTE/LTEアドバンストネットワークなどのセルラーネットワークを確立することができる。スモールセル301は、他の場合であれば、セルラーモデム394がそれ自体で収集するであろう測定値に加えて、またはその代わりに、AP392によって収集された測定値を使用して、クリーンチャネルが利用可能であるかどうかを判断することができる。AP392は、コントローラ/プロセッサ382および/またはバス386を使用して、これらの測定値をセルラーモデム394に提供することができる。測定値は、NLM396および/またはユーザデバイス302に由来するものであり得る。クリーンチャネル上のみでセルラーネットワークを確立することによって、WLANへのセルラーネットワークの干渉が軽減される。
【００４５】
図4Aは、本開示の少なくとも1つの態様による、WLANへの干渉を低減するためのセルラーネットワークチャネル選択のための例示的なフローを示す。セルラーネットワークは、たとえば、無認可スペクトル内のLTEアドバンストネットワークであり得る。図4Aに示すフローは、図3のスモールセル301によって実行され得る。本明細書で使用する場合、セルラーネットワーク「チャネル」は、対応するキャリア周波数、またはセルラーネットワーク信号を識別する。
【００４６】
フローは400Aで開始する。410Aで、スモールセル301は、WLANチャネルの初期チャネルスキャンを実行する。
【００４７】
415Aで、スモールセル301は、クリーンチャネルがあるかどうかを判断する。クリーンチャネルがない場合、フローは450Aに進み、スモールセル301はセルラーネットワークをオフにするか、またはセルラーネットワークを確立しない。しかしながら、1つまたは複数のクリーンチャネルがある場合、420Aで、スモールセル301はクリーンチャネルの中からセルラーネットワーク用の動作チャネルを選択する。
【００４８】
425Aで、スモールセル301は、周期的なチャネルスキャンを実行する。430Aで、スモールセル301は、利用可能なチャネルのチャネルデータベースを更新する。
【００４９】
435Aで、スモールセル301は、チャネル切替え基準が満たされたかどうかを判断する。チャネル切替え基準が満たされていない場合、フローは425Aに戻り、スモールセル301は周期的なスキャンの実行を継続する。しかしながら、チャネル切替え基準が満たされている場合、フローは440Aに進む。440Aで、スモールセル301は現在のキャリアをオフに切り替え、セルラーネットワーク用の新しい動作チャネルとして最も高いランクを有するチャネルを選択する。
【００５０】
445Aで、スモールセル301は、クリーンチャネルが見つかったかどうかを判断する。クリーンチャネルが見つかった場合、スモールセル301は新しいクリーンチャネルに切り替え、フローは425Aに戻り、スモールセル301は、今度は新しいクリーンチャネルについての周期的なスキャンの実行を継続する。クリーンチャネルが見つからなかった場合、450Aで、スモールセル301はセルラーネットワークをオフにし、WLANのみを提供する。455Aで、スモールセル301は何らかの時間ヒステリシスを実行し、フローは400Aに戻る。
【００５１】
図4Bは、本開示の少なくとも1つの態様による、WLANへの干渉を低減するためのセルラーネットワークチャネル選択のための例示的なフローを示す。セルラーネットワークは、たとえば、無認可スペクトル内のLTEアドバンストネットワークであり得る。図4Bに示すフローは、図3のスモールセル301によって実行され得る。
【００５２】
フローは400Bで開始する。410Bで、スモールセル301は、利用可能なチャネルの初期チャネルスキャンを実行する。より具体的には、AP392は、NLM396を使用して、初期チャネルスキャンを実行し得る。利用可能なチャネルは、スモールセル301がセルラーネットワークを確立することができるチャネルであり得る。しかしながら、スモールセル301はそのようなチャネル上でWLANを確立することも可能であり得る。すなわち、スモールセル301は同じチャネル上でWLANまたはセルラーネットワークを確立することが可能であり得る。
【００５３】
NLM396は、すべての利用可能なチャネルのチャネル番号をAP392から入力として受信し、チャネルビーコンの受信信号強度インジケータ(RSSI)、(帯域幅ならびに1次チャネルおよび2次チャネルを含み得る)物理レイヤ(PHY)モード、および各チャネルの雑音フロアをAP392に出力する。NLM396内のPHYモジュールは、しきい値(たとえば、20MHz)よりも大きい場合、WLANビーコン、WLAN動作の帯域幅、およびWLANチャネルのロケーションを検出する。
【００５４】
AP392は、AP392において測定された、RSSIしきい値よりも大きいビーコンRSSIを有するすべてのチャネルを無視する。RSSIしきい値は、セルラーネットワークからの干渉がそのdBmレベルである場合、WLANに対する性能劣化が許容可能であるように選ばれた調整可能なdBmレベルである。RSSIしきい値が増加した場合、干渉および性能劣化は大きくなるが、そのしきい値を満たすチャネルはより多くなり得る。RSSIしきい値が減少した場合、干渉および性能劣化は小さくなるが、そのしきい値を満たすチャネルはより少なくなり得る。
【００５５】
次いで、スモールセル301は、チャネルの測定された雑音フロアおよびビーコンRSSIのユーティリティ機能を使用して、RSSIしきい値を満たすチャネルのチャネルデータベースを作成する。ユーティリティ機能は、干渉の強度を示すビーコンRSSIと、干渉なしですでに存在する雑音フロアとを取得し、そのチャネルのシステム性能を反映するユーティリティ値/メトリックを生成する機能である。したがって、最大ユーティリティ値を有するチャネルは、最大性能を有するチャネルである。より高いユーティリティ値を有するチャネルを選ぶことは、干渉を減少させるチャネルを選ぶことを意味する。一例として、ユーティリティ値は絶対干渉の逆数とすることができる。
【００５６】
415Bで、AP392は、クリーンチャネルがあるかどうかを判断する。クリーンチャネルは、AP392において測定された、RSSIしきい値未満の最大ビーコンRSSIを有するチャネルである。クリーンチャネルがない場合、フローは450Bに進み、スモールセル301はセルラーネットワークをオフにするか、またはセルラーネットワークを確立しない。
【００５７】
しかしながら、1つまたは複数のクリーンチャネルがある場合、420Bで、AP392は、測定された雑音フロアおよびビーコンRSSIに基づいてユーティリティ機能によって判断されたように、セルラーネットワーク用の動作チャネルとして最も高いユーティリティ値を有するクリーンチャネルを選択する。
【００５８】
425Bで、AP392は、周期的なチャネルスキャンを実行する。AP392は、T秒ごとにおよび/または何らかのイベントトリガ時にスキャンを実行することができる。トリガリングイベントは、たとえば、AP392において現在の動作チャネルに対する高い干渉を測定すること、または(AP392に接続されたユーザデバイス302から受信された)STA報告から高い干渉の指示を受信することであり得る。
【００５９】
周期的なスキャンは、新しい近くのAPが現在の動作チャネル上での送信を開始したかどうかを検出し得る。AP392は、T秒ごとに動作チャネル上で周期的な測定を行う。Tの選定は、新しい近くのAPに反応するための待ち時間およびスモールセル301におけるセルラーネットワークとWLANの両方の動作の中断に影響を及ぼす。より低いデューティサイクルスキャンは、その他のチャネル上で実行され得る。
【００６０】
より具体的には、AP392は、2つの異なるデューティサイクルに従って、2つの異なるスキャンを実行し得る。AP392は、第1のデューティサイクル(たとえば、上記で説明したようにT秒ごと)に従って周波数内測定を行い、第2のデューティサイクルに従って周波数間測定を行い得る。すなわち、AP392は、第1のデューティサイクルに従って動作チャネルをスキャンすることができ、第2のデューティサイクルに従ってすべての他のチャネルをスキャンすることができる。代替的に、AP392は、その他のクリーンチャネルのみをスキャンすることができる。第2のデューティサイクルは、第1のデューティサイクルよりも低い頻度であってもよい。両方のデューティサイクルは比較的長くてもよく、たとえば、数秒単位または数分単位でも測定され得る。
【００６１】
チャネルスキャンはまた、上記で説明したように、強い干渉が検出された場合にトリガされ得る。たとえば、スキャンは、新しい近くのWLAN APによるものであり得る、アップリンクまたはダウンリンクパケット誤り率(PER)メトリックおよび/またはセルラーネットワークに接続されたユーザデバイス302からのチャネル品質インジケータ(CQI)報告に基づいてトリガされ得る。強い干渉が検出された場合にスキャンを実行することは、新しいWLAN APに反応するための待ち時間を低減するのに役立つ。しきい値は、フォールスアラームを低減し、継続中のセルラーネットワーク/WLANトラフィック中断を最小限に抑えるように選択されるべきである。
【００６２】
AP392は、AP392を介してスモールセル301に接続されたユーザデバイス302から、802.11k測定値などのSTA支援測定値を収集し得る。これは、NLM396から測定値を収集することよりも頻繁に行われ得る。STA支援測定値は、クリーンチャネルのユーティリティ値を更新するために使用され、チャネルスキャンを実行するようにAP392をトリガすることができる。セルラーネットワークの性能を最適化するために、STA支援測定値は、無線リソース測定値(RRM)およびCQI報告など、ユーザデバイス302からのセルラーネットワーク測定値で補足され得る。
【００６３】
430Bで、スモールセル301は、上記で説明したチャネルデータベースを更新する。スモールセル301は、RSSIしきい値よりも大きいビーコンRSSIを有するいかなるチャネルも破棄する。これは、WLAN APスキャンのみに基づき得る。STA報告は、クリーンチャネル(すなわち、RSSIしきい値以下のビーコンRSSIを有するチャネル)のこのリストの中から最もクリーンなチャネルを判断する役割を果たす。次いで、スモールセル301は、残りのチャネル(すなわち、クリーンチャネル)について(上記で説明したユーティリティ機能によって計算された)ユーティリティ値を計算するか、または更新する。ユーティリティ値は、雑音フロア、STA支援測定値、および/または任意の他のセルラーネットワーク干渉を考慮する。次いで、スモールセル301は、クリーンチャネルをそのユーティリティ値に従ってランク付けする。
【００６４】
435Bで、スモールセル301は、チャネル切替え基準が満たされたかどうかを判断する。チャネル切替え基準は、何らかのヒステリシスおよびタイミング条件で、AP392において測定された新しいビーコンのビーコンRSSIがRSSIしきい値よりも大きいかどうかの指示を含み得る。この基準は、やはり何らかのヒステリシスおよびタイミング条件で、現在の動作チャネルよりも高いユーティリティ値を有する新しいチャネルがあるかどうかの指示も含む。
【００６５】
ヒステリシスおよびタイミング条件は、セルラーモデム394が動作チャネル間ではね返るのを防止するために使用される。たとえば、スモールセル301は、どのくらいの間、セルラーモデム394が現在の動作チャネルを使用しているかを示すタイマーを設定し得る。タイマーが期限切れになっていない場合、セルラーモデム394は新しい動作チャネルに切り替えるのを許可されない。しかしながら、チャネル性能が特に悪い場合、切替えをより迅速に行うのを可能にするために、このタイマーは無視され得る。
【００６６】
チャネル切替え基準が満たされていない場合、フローは425Bに戻り、AP392は継続的なスキャンの実行を継続する。しかしながら、チャネル切替え基準が満たされている場合、フローは440Bに進む。440Bで、スモールセル301はキャリアチャネルをオフに切り替え、最も高いランク(すなわち、最も高いユーティリティ値)を有するチャネルを選択する。
【００６７】
445Bで、AP392は、クリーンチャネルが見つかったかどうかを判断する。クリーンチャネルが見つかった場合、AP392は新しいクリーンチャネルに切り替え、次いでフローは425Bに戻り、AP392は、今度は新しいクリーンチャネルについての周期的なスキャンの実行を継続する。しかしながら、クリーンチャネルが見つからなかった場合、450Bで、スモールセル301はセルラーネットワークをオフにし、単にWLANを提供する。
【００６８】
セルラーネットワークをオフにすることおよびWLANに切り替えることは、セルラーネットワークを確立するためのクリーンチャネルがない場合のフォールバックソリューションである。ベースラインソリューションの場合、スモールセル301はセルラーネットワークをオフに切り替え、コロケートされたAP392は、その代わりにそのチャネル上でWLANの提供を開始することができる。ユーザデバイス302は無線リンク障害(RLF:Radio Link Failure)になる場合があり、これは、ユーザデバイス302が異なる周波数で動作する別のセルラーネットワーク上で接続の再確立を試みることを意味する。無線リソース制御(RRC:Radio Resource Control)接続解放はまた、システム内の接続モードユーザデバイスからゆるやかに出るために使用され得る。
【００６９】
スモールセル301は、セルラーネットワークをオフに切り替える前に、アクティブなユーザデバイスを近隣セルにハンドオフすることができる。アイドル状態のユーザデバイスは、アイドルモードから出ると、単にセル選択を実行する。チャネルユーティリティ機能およびチャネル選択は、AP392からの測定値および/またはSTA支援測定値に基づくことに留意されたい。対照的に、セルラーネットワークをオフにすることは、AP392測定値のみに基づく。
【００７０】
455Bで、スモールセル301は何らかの時間ヒステリシスを実行し、フローは400Bに戻る。具体的には、クリーンチャネルが見つからず、セルラーネットワークがオフにされたか、または確立されなかったので、いくらかの時間期間の後、セルラーネットワークを確立または再確立しようとして再び探索するために、フローは400Bに戻る。
【００７１】
以下は、NLM396およびAP392を使用して初期化を実行する具体例である。最初に、AP392は、すべてのチャネル上でNLM396からAP測定値を収集する。AP392は、異なるチャネル上でビーコンRSSI、たとえば、beacon_RSSIi,jを測定し、iはチャネルインデックスであり、jはビーコンインデックスである。AP392は、他のセルラーネットワークを含む干渉のすべてのソースを考慮して、異なるチャネル上でRSSI、たとえば、RSSIiも測定し、iはチャネルインデックスである。
【００７２】
次に、AP392は、RSSIしきい値よりも大きい最大j(beacon_RSSIi,j)を有するチャネルiを破棄する。破棄されたチャネルは、上記で説明したように、何らかの時間ヒステリシスの後に再びスキャンされ得る。
【００７３】
次に、AP392は、残りのクリーンチャネルについてRSSIメトリック、たとえば、Init_Metrici=α1RSSIi+α2Σj∈βbeacon_RSSIi,jを計算する。Init_Metricthresholdを下回るメトリックを有するチャネルの中で、AP392はセルラーネットワーク用の動作チャネルをランダムに選ぶ。AP392は、最大送信電力要件に基づいて、このチャネル選択をバイアスすることができる。このネットワークリッスンは、周期的に繰り返されるか、またはSTA支援測定値によってトリガされ得る。
【００７４】
(ビーコン内の高スループット(HT:High Throughput)動作IEフィールドおよび超高スループット(VHT:Very High Throughput)動作IEフィールドから示される)20MHzよりも大きい帯域幅を有するBSSの場合、AP392はビーコンRSSIをすべての2次チャネルに適用することができることに留意されたい。AP392は、2次チャネルに適用される場合、バックオフ量をbeacon_RSSIiに追加することもできる。
【００７５】
上記で説明したSTA報告(すなわち、STA支援測定値)は、計算されたチャネルペナルティを含むことができる。スモールセル301は、各チャネルiについてのSTAビーコン報告のデータベースを形成する。スモールセル301は最新のMax_database報告を維持し、より古い報告を破棄して最大データベースサイズを維持することができる。スモールセル301は、たとえば、802.11kビーコン報告を使用することができる。
【００７６】
各一意の測定値を用いて、スモールセル301は、式Pi=Σkqi,kに従ってすべてのデータベースエントリkを使用して、チャネルiについての各チャネルペナルティメトリックPiを更新することができ、ビーコンが検出されなかった場合、qi,k=0であり、ビーコンがRSSI_threshold未満のRSSIを有する場合、qi,k=penalty_lowであり、ビーコンがRSSI_thresholdよりも大きいRSSIを有する場合、qi,k=penalty_highである。これは、AP干渉による何らかのデセンスを有するパーセントカバレージエリアを測定する。すなわち、ユーザデバイス302はカバレージエリア内の異なるロケーションにあり、各々はqi,kによって示される何らかのレベルの干渉を経験する。所与のチャネル上のすべてのユーザデバイス302の異なるq値が合計されると、これは干渉の点でこのチャネルのカバレージエリアがどの程度良好かを示す。たとえば、ペナルティが高い場合、これはカバレージエリア内の異なる場所において高い干渉があることを意味し、その逆も同様である。
【００７７】
一意の測定値は、その同じユーザデバイス302からの前のデータポイントとは著しく異なる新しいデータポイントを意味する。たとえば、両方の報告で通常報告される任意のビーコン間に少なくともXdBm RSSIの差がある場合、またはしきい値YdBmを上回るRSSIを有する新しいビーコンがある場合、または検出されなかった、しきい値ZdBmを上回るRSSIを有する古いビーコンがある場合、新しいデータポイントは前のデータポイントとは著しく異なると見なされ得る。
【００７８】
ユーザデバイス302からのRRM測定値は、事業者間の干渉およびパイロット汚染を低減するように考慮され得る。チャネルペナルティも、これらのRRM測定値を考慮する。ユーザデバイス302は、所望の信号がどのくらい強いかを示す、近隣セルの周波数内および周波数間基準信号受信電力(RSRP:Reference Signal Received Power)測定値を報告することができる。これらの報告は、(ネイバーセルを発見するためのLTEにおける機構であり、同じ事業者または異なる事業者に使用され得る自動隣接関係(ANR:Automatic Neighborhood Relations)を通じて)近隣セルが無認可スペクトルにおいて同じスモールセル事業者に属するか、または異なるスモールセル事業者に属するかを示す。
【００７９】
チャネルペナルティは、上記で説明したように更新され得る。各一意の測定値について、スモールセル301は、式Pi=Σkwi,kを使用するすべてのデータベースエントリkを使用して、チャネルiについての各チャネルペナルティメトリックPiを更新することができる。近くのスモールセルが検出されなかった場合、wi,k=0である。RSRPがRSRP_threshold未満である場合、(同じ/異なる事業者について)wi,k=penalty_low_1/penalty_low_2である。RSRPがRSRP_thresholdよりも大きい場合、(同じ/異なる事業者について)wi,k=penalty_high_1/penalty_high_2である。異なる事業者(たとえば、無認可スペクトル内の異なる事業者)は、スモールセル301の事業者が有するペナルティよりも高いペナルティを有する。
【００８０】
AP392は、STA報告およびNLM396によって提供されるネットワークリッスンを使用して、すべてのチャネル上のチャネルペナルティメトリックを周期的に更新することができる。数秒たとえばTよりも長い間、チャネルがクリーンである場合、チャネルはセルラーネットワークを搬送する資格がある。
【００８１】
図4Bの435Bに関して上記で説明したチャネル切替え基準を再び参照すると、AP392において測定された新しいビーコンRSSIが、いくらかのタイマー期間の間、RSSIしきい値および何らかのヒステリシスを越えた場合、AP392は最も低いペナルティ(最も高いユーティリティ)を有する次のクリーンチャネルに切り替えることができる。十分な数の利用可能な測定報告(たとえば、最小データベースサイズ)がある場合、Pj≠iがヒステリシスを引いたPi未満であり、AP392において測定されたRSSIjが何らかのしきい値RSSI_ULを下回れば、AP392は動作チャネルをjに変更することができる。この条件は、ある一定の持続時間の間、またはある一定の数の新しい測定報告にわたって、一貫して満たされなければならない。複数のチャネルがこの基準を満たす場合、AP392は、RSRP/RSRQ(信号の信号対干渉雑音比(SINR)のインジケータである基準信号受信品質(Reference Signal Received Quality))関連のメトリックを使用して決定することができる。
【００８２】
図4Bの440Bに関して上記で説明したチャネル切替え手順を再び参照すると、アンカーキャリアはSDL上で構成されたユーザデバイスを無効にすることができる。これは、ユーザデバイスがLTEにおけるパイロット信号である共通基準信号(CRS:Common Reference Signal)をSDL上でモニターし、CQI測定値およびRRM測定値を送るのを停止する。これは、RRC構成メッセージまたは媒体アクセス制御(MAC)制御要素を通じて達成され得る。
【００８３】
次に、セルラーネットワーク用のクリーンチャネル(すなわち、RSSIしきい値未満の最大ビーコンRSSIを有するチャネル)が利用可能である場合、スモールセル301はSDLをオフに切り替え、異なるチャネル上で新しいSDLをオンに切り替えることができる。次いで、ユーザデバイス302は、RRC構成メッセージを介して、新しいチャネル上で有効にされ得る。
【００８４】
一般に、無認可2次キャリア構成要素(SCC:Secondary Carrier Component)は、ユーザデバイス302がそれにキャンプオンしないように、禁止されるべきであることに留意されたい。
【００８５】
チャネル切替えの時間スケールは、レート制御および無認可キャリア上のその他のセルラーネットワークスモールセルのその他の干渉管理(たとえば、異なるスモールセル間の干渉協調機構であるフラクショナル周波数繰返し(FFR:Fractional Frequency Reuse))よりも大きくなければならない。
【００８６】
図4B/図4Cに示すフローの問題は、スモールセル301などの無認可帯域で動作するスモールセルが(特に、たとえば、異なる事業者に属する場合)必ずしも互いに同期するとは限らない可能性があるということである。同じ事業者を有するスモールセルが時間同期する場合でも、その実際のAPスキャン時間は依然として互いからオフセットされる可能性がある。
【００８７】
すべてのスモールセルがそのAPスキャンのためのスキャン継続時間および周期を選び、独立して動作するので、スモールセルのコロケートされたAPは他のスモールセルが送信するのと同時にAPスキャンを実行し得る状況がある。これは、コロケートされたAPにおいて過度の干渉を引き起こし、それによって、既存および新しい近隣APを検出する感度を低減する可能性がある。
【００８８】
たとえば、スモールセル301は、以前に-80dBmで近隣AP信号を受信(および復号)したことがあり得、その後、新しいスモールセルがこのチャネル上で送信を開始し得る。たとえば、新しいスモールセルが十分に近く、-80dBm超で受信される場合、そのAPビーコンは復号不可能になる。これにより、スモールセル301のコロケートされたAP392は、この近隣AP/WLANがもはや存在せず、チャネルがよりクリーンになったと考えるが、実際にはチャネルはよりクリーンになっていない。さらに、スモールセル301は、無認可スペクトル内のLTE/LTEアドバンストなどの他の無認可セルラーネットワークエアインターフェースからの干渉により、スキャン中に同様の信号強度を有する新しいWLANを発見することができなくなる。
【００８９】
無認可スペクトル内のLTE/LTEアドバンストで動作する他のスモールセルからの干渉の存在下でのこのAP誤検出問題を軽減するために、スモールセル301は、無認可スペクトル内のLTE/LTEアドバンストの測定用にそのコロケートされたNLM396/398を活用し、そのNLMを使用してAPスキャン報告を適切にフィルタリングすることができる。最初に、スモールセル301は、無認可スペクトル内のLTE/LTEアドバンストにおける存在感が強いチャネルを回避する。無認可スペクトル内のLTE/LTEアドバンストにおける残りの弱いチャネルの中で、少なくとも1つが利用可能であると仮定して、スモールセル301はクリーン/非クリーンチャネルを判断するためにWLANしきい値を使用する。チャネルのサブセットが無認可スペクトル内のLTE/LTEアドバンストにおいて強い存在感を示す場合、スモールセル301は、これらのチャネル上のビーコンを検出するために、チャネルデータベースを「フリーズ」するか、または逐次干渉除去(SIC)を使用する。
【００９０】
図4Cは、本開示の少なくとも1つの態様による、WLANへの干渉を低減するためのセルラーネットワークチャネル選択のための例示的な方法のハイレベルフローを示す。セルラーネットワークは、たとえば、無認可スペクトル内のLTEアドバンストネットワークであり得る。図4Cに示すフローは、図3のスモールセル301によって実行され得る。本明細書で使用する場合、セルラーネットワーク「チャネル」は、対応するキャリア周波数、またはセルラーネットワーク信号を識別する。
【００９１】
フローは400Cで開始する。405Cで、スモールセル301、具体的にはAP392とセルラーモデム394の両方は、利用可能なチャネルの初期チャネルスキャンを実行する。
【００９２】
415Cで、スモールセル301は、クリーンチャネルがあるかどうかを判断する。クリーンチャネルがない場合、フローは450Cに進み、スモールセル301はセルラーネットワークをオフにするか、またはセルラーネットワークを確立しない。しかしながら、1つまたは複数のクリーンチャネルがある場合、420Cで、スモールセル301はクリーンチャネルの中からセルラーネットワーク用の動作チャネルを選択する。
【００９３】
425Cで、スモールセル301、具体的にはAP392とセルラーモデム394の両方は、周期的なチャネルスキャンを実行する。427Cで、スモールセル301は、セルラーモデム394によって実行されたチャネルスキャンに基づいて、弱いまたは許容できるセルラー干渉を有する少なくとも1つのチャネルがあるかどうかを判断する。弱い/許容できるセルラー干渉を有する少なくとも1つのチャネルがある場合、430Cで、スモールセル301は、図4Bの430Bに関して上記で説明したように、利用可能なチャネルのチャネルデータベースを更新する。そうでなければ、433Cで、スモールセル301は、図5の530〜560ならびに図6Bの660B〜675Bおよび645Bに関して以下で説明するように、利用可能なチャネルのチャネルデータベースを更新する。
【００９４】
435Cで、スモールセル301は、チャネル切替え基準が満たされたかどうかを判断する。チャネル切替え基準が満たされていない場合、フローは425Cに戻り、スモールセル301は周期的なチャネルスキャンの実行を継続する。しかしながら、チャネル切替え基準が満たされている場合、フローは440Cに進む。440Cで、スモールセル301は現在のキャリアをオフに切り替え、セルラーネットワーク用の新しい動作チャネルとして最も高いランクを有するチャネルを選択する。
【００９５】
445Cで、スモールセル301は、クリーンチャネルが見つかったかどうかを判断する。クリーンチャネルが見つかった場合、スモールセル301は新しいクリーンチャネルに切り替え、フローは425Cに戻り、スモールセル301は、今度は新しいクリーンチャネルについての周期的なスキャンの実行を継続する。クリーンチャネルが見つからなかった場合、450Cで、スモールセル301はセルラーネットワークをオフにし、WLANのみを提供する。455Cで、スモールセル301は何らかの時間ヒステリシスを実行し、フローは400Aに戻る。
【００９６】
図4Dは、図4Cのフローをより詳細に示す。図4Cと同様に、図4Dに示すフローは、図3のスモールセル301によって実行され得る。
【００９７】
フローは400Dで開始する。410Dで、スモールセル301、具体的にはNLM398を使用するセルラーモデム394は、図5の510に関して以下で説明するように、利用可能なチャネルの初期チャネルスキャン(図4Dで「初期チャネルスキャン(NL)」と呼ばれる)を実行する。セルラーモデム394は、すべての利用可能なチャネルのチャネル番号を入力として受信し、各チャネルのRSRP、PLMN ID、および雑音フロアを出力する。セルラーモデム394においてしきい値未満のRSRPを有するチャネルは、無認可スペクトル内のLTEアドバンストにおいて弱い/許容できる干渉とともに利用可能としてマークされる。スモールセル301は、各チャネルの測定された雑音フロアおよびRSRPについてのユーティリティ機能を用いてチャネルデータベースを作成する。
【００９８】
また410Dで、スモールセル301、具体的にはAP392は、初期チャネルスキャンを実行する。AP392は、すべての利用可能なチャネルのチャネル番号を入力として受信し、チャネルビーコンのRSSI、(帯域幅ならびに1次チャネルおよび2次チャネルを含み得る)PHYモード、および各チャネルの雑音フロアを出力する。AP392においてしきい値未満のビーコンRSSIを有するチャネルは、クリーンとしてマークされる。スモールセル301は、図4Bの410Bに関して上記で説明したように、各チャネルの測定された雑音フロアおよびビーコンRSSIについてのユーティリティ機能を用いてチャネルデータベースを作成する。410Dで作成されたチャネルデータベースは405Dで作成されたデータベースとは異なるデータベースであってもよく、または410Dで検出された情報は405Dで作成されたデータベースに追加されてもよいことに留意されたい。
【００９９】
415Dで、スモールセル301は、クリーンチャネルがあるかどうかを判断する。図4Bの415Bに関して上記で説明したように、クリーンチャネルは、AP392において測定された、RSSIしきい値未満の最大ビーコンRSSIを有するチャネルである。クリーンチャネルがない場合、フローは450Dに進み、スモールセル301はセルラーネットワークをオフにするか、またはセルラーネットワークを確立しない。
【０１００】
しかしながら、1つまたは複数のクリーンチャネルがある場合、420Dで、AP392は、測定された雑音フロアおよびビーコンRSSIに基づいてユーティリティ機能によって判断されたように、セルラーネットワーク用の動作チャネルとして最も高いユーティリティ値を有するクリーンチャネルを選択する。
【０１０１】
425Dで、AP392およびセルラーモデム394は、周期的なチャネルスキャンを実行する。AP392およびセルラーモデム394は、T秒ごとにおよび/または何らかのイベントトリガ時にスキャンを実行することができる。トリガリングイベントは、たとえば、AP392もしくはセルラーモデム394において現在の動作チャネルに対する高い干渉を測定すること、または(AP392および/またはセルラーモデム394に接続されたユーザデバイス302から受信された)STAもしくはUE報告から高い干渉の指示を受信することであり得る。
【０１０２】
427Dで、スモールセル301は、図5の520に関して以下で説明するように、410Dおよび425Dにおける初期/周期的なNLスキャンに基づいて、弱い/許容できるセルラー(たとえば、無認可スペクトル内のLTEアドバンスト)干渉を有する少なくとも1つのチャネルがあるかどうかを判断する。少なくとも1つのそのようなチャネルが利用可能である場合、430Dで、スモールセル301は、図4Bの430Bに関して上記で説明したように、410DにおけるAPスキャン中に作成されたチャネルデータベースを更新する。スモールセル301は、チャネルをクリーンまたは非クリーンとしてマークする。すべての利用可能なチャネルが無認可スペクトル内のLTE/LTEアドバンストにおいて強い(すなわち、弱くない/許容できない)干渉を有する場合、フローは433Dに進み、スモールセル301は、以下で説明するように、図5の530〜560または図6Bの660B〜675Bおよび645Bにおける手順を実行することができる。データベース更新の一部として、スモールセル301は、チャネルのリストについて(上記で説明したユーティリティ機能によって計算された)ユーティリティ値を計算するか、または更新する。ユーティリティ値は、雑音フロア、STA支援測定値、および/または任意の他のセルラーネットワーク干渉を考慮する。次いで、スモールセル301は、クリーンチャネルをそのユーティリティ値に従ってランク付けする。
【０１０３】
次いで、フローは、図4Bの435B、440B、445B、450B、および455Bにそれぞれ対応する435D、440D、445D、450D、および455Dに進む。簡潔のために、これらの特徴の説明はここでは繰り返されない。
【０１０４】
図5は、干渉がある場合に無認可スペクトル内のLTE/LTEアドバンストのチャネル選択のWLAN AP誤検出を最小限に抑えるための例示的なフローを示す。図5に示すフローは、図3のスモールセル301によって実行され得る。図5に示すフローは、図4B/図4Dに示すフローの態様とともに行われ得る。
【０１０５】
図4B/図4Dの410B/410Dおよび420B/420Dと同様に、すべてのチャネル上でWLAN測定を実行し、最もクリーンなチャネルを選ぶ前に、510で、スモールセル301(具体的にはセルラーモデム394)は、無認可スペクトル内のLTE/LTEアドバンストのNLM398からのネットワークリッスン測定値に基づいて、無認可スペクトル内のLTE/LTEアドバンストのチャネルスキャニングを実行し、次いで、無認可スペクトル内のLTE/LTEアドバンストにおける弱いまたは許容できる干渉を有するチャネルのセットを選ぶことができる。干渉は、無認可スペクトル内のLTE/LTEアドバンストで動作している他の事業者のスモールセルからのものであり得る。「弱い」または「許容できる」干渉は、たとえば、-120dBmに等しいセルエッジRSRP、または(フルローディングを想定して)-120プラス30、すなわち、-90dBmに等しいRSSIであり得る。無認可スペクトル内のLTE/LTEアドバンストにおける弱いまたは許容できる干渉を有するチャネルのセットを選ぶことによって、スモールセル301/セルラーモデム394は、無認可スペクトル内のLTE/LTEアドバンストにおける存在感が強いチャネルを回避している。
【０１０６】
次いで、スモールセル301(具体的にはAP392)は、図4B/図4Dの410B/410Dおよび420B/420Dに関して上記で説明したように、同じまたは他の事業者スモールセルからの受信信号強度およびクリーンチャネルWLANしきい値に基づいてチャネルを選ぶことができる。具体的には、スモールセル301/AP392は、510/520で識別された弱い/許容できるセルラー干渉を有するチャネルの410B/410Dに示すスキャンを実行する。
【０１０７】
チャネルを選ぶとき、スモールセル301は、同じ事業者(すなわち、スモールセル301の事業者)、異なる事業者(すなわち、スモールセル301の事業者とは異なる事業者)、およびWLANによって使用されているチャネルに異なる優先順位を与えることができる。スモールセル301は、上記で説明したチャネルペナルティを使用して、同じ/異なる事業者およびWLANのチャネルに優先順位を付けることができる。
【０１０８】
520で、無認可スペクトル内のLTE/LTEアドバンストにおいて弱いまたは許容できる干渉を有するチャネルが利用可能である場合、しきい値を上回るいずれのWLAN APビーコンも確実に復号され得るので、図4B/図4Dのフローを変更する必要はない。無認可スペクトル内のLTE/LTEアドバンストにおいて、このあらかじめ定義された信号レベルを上回る干渉がないことをNLM398が識別したので、これらのWLAN APビーコンは確実に復号され得る。
【０１０９】
しかしながら、520で、無認可スペクトル内のLTE/LTEアドバンストにおいてそのような「弱い」または「許容できる」チャネルが利用可能ではない場合、スモールセル301は、無認可スペクトル内のLTE/LTEアドバンストにおいて強い干渉の存在を活用して、利用不可能なチャネルを除外することができる。図4Bに示すチャネルスキャニングフローは、WLAN APスキャンの結果として取得されたビーコンRSSI値を活用するための単純な無限インパルス応答(IIR:infinite impulse response)フィルタを有する。この単純なフィルタリングは、無認可スペクトル内のLTE/LTEアドバンストにおける強い干渉がある場合、検出を考慮するように修正され得る。
【０１１０】
具体的には、530で、周期的なWLAN APスキャン(図4Dの425D)の継続時間の間、コロケートされたセルラーモデム394は、WLAN APスキャン期間と重複する、無認可スペクトル内のLTE/LTEアドバンストの任意の強い信号を探索するための周期的なネットワークリッスン(図4Dの425D)を実行することもできる。このようにして、(540で検出される)所与のWLAN APスキャン期間における所与のチャネル上の突然のビーコンミスは、そのチャネル上の(NLM398からの)無認可スペクトル内のLTE/LTEアドバンストの強い信号の出現に相関付けられ得る。
【０１１１】
WLAN APが通常は静的であるとすれば、突然のビーコンミスは、「ビジーでない」時間の間に周期的に報告されていたが、突然行方不明になったビーコンと解釈され得る。550で、そのようなイベントが生じた場合、560で、無認可スペクトル内のLTE/LTEアドバンストの強い信号がなくなるまで、そのチャネルについてデータベースに記憶された以前のWLAN APビーコンRSSI値は「フリーズ」される。次いで、スモールセル301は、残りのチャネルの周期的なスキャニングを継続する。
【０１１２】
しかしながら、ミスが無認可スペクトル内のLTE/LTEアドバンストのいずれの信号の存在にも相関付けられておらず、そのチャネル上のWLAN APがシャットオフされた可能性があることを示す場合、ビーコンRSSIは前述のように古くなり、スモールセル301は残りのチャネルの周期的なスキャニングを継続する。次いで、フローは図4B/図4Dの430B/430Dに進み、データベースはスキャニング中に発見された任意の新しい情報で更新される。図4A〜図4Dはデータベース更新を周期的なチャネルスキャンの後で実行されるものとして示しているが、明らかなように、データベースはチャネルスキャン中に更新され得ることに留意されたい。すなわち、各チャネルのエントリは、チャネルスキャン中に行われたそのチャネルの測定に基づいて更新される(または「フリーズ」の場合は更新されない)ことがある。
【０１１３】
無認可スペクトル内のより高度なLTE/LTEアドバンストのチャネル選択、たとえば、SICは、コロケートされたセルラーモデム394を実際に使用して、WLAN APスキャン期間中に受信された波形からの無認可スペクトル内のLTE/LTEアドバンストの干渉(たとえば、1次同期信号(PSS)、2次同期信号(SSS)、ページングチャネル(PCH)、セル固有基準信号(CRS)、データチャネルなど)を記憶、復号、再構成、および除去し、図4Bの425BでWLAN検出のための「クリーンになった」残りの波形をコロケートされたAP392に提供することができる。スモールセル301が共有メモリを使用してSICを実施することができ、またはAP392がSICを実行することができる。
【０１１４】
ユーザデバイス302などのユーザデバイスは、図4Bに示すフローの一部として802.11k報告を収集するときにSICを使用することもできる。ユーザデバイスは、無認可スペクトル内のLTE/LTEアドバンストの残りの干渉を除去し、次いで、APを検出する確率を高めるためにWLAN検出を実行することができる。
【０１１５】
最後に、同じ事業者に属するスモールセルの間で、図4Bの425Bにおける周期的なWLAN APスキャンの時間は、スキャンを実行するための同意した時間および/またはX2もしくはバックホールでのシグナリングに基づいて同期され得る。これらの同期した測定ギャップにおいて、スモールセルは一緒にミュートし、そのコロケートされたWLAN APがその周りのWLAN環境について知ることを可能にすることができる。事前に同意した時間は、たとえば、GPSまたはネットワークタイムプロトコル(NTP)クロックなどの絶対クロックに基づいてもよい。
【０１１６】
図6Aは、図3のスモールセル301などのスモールセルによって運用されるWLANへの干渉を低減するために、セルラーネットワーク用の動作チャネルを選択するための例示的なフローを示す。セルラーネットワークは、無認可スペクトル内のLTEネットワークであり得る。図6Aに示すフローは、図3のスモールセル301によって実行され得る。図3に示すように、スモールセル301は、AP392などのWLAN APと、セルラーモデム394などのセルラーネットワークモデムとを含み得る。
【０１１７】
610Aで、スモールセル301は、図5の510におけるように、セルラーネットワークを動作させるための利用可能なチャネルの第1のチャネルスキャンを実行する。セルラーネットワークチャネルは、無認可スペクトル内のLTEチャネルであり得る。
【０１１８】
620Aで、スモールセル301は、図4B/図4Dの410B/410Dにおけるように、利用可能なチャネルの第2のチャネルスキャンを実行する。630Aで、スモールセル301は、図5の520におけるように、第1のチャネルスキャンに基づいて、セルラーネットワーク干渉しきい値を下回る干渉レベルを有する利用可能なチャネルのうちの1つまたは複数のセルラーネットワークチャネルを識別する。640Aで、スモールセル301は、図4B/図4Dの415B/415Dにおけるように、第2のチャネルスキャンに基づいて、セルラーネットワーク用の動作チャネルとなるべきクリーンチャネルが利用可能であるかどうかを判断する。上記で説明したように、クリーンチャネルは、しきい値未満でWLANに干渉するチャネルであり得る。
【０１１９】
650Aにおいて、スモールセル301は、図4B/図4Dの420B/420Dにおけるように、セルラーネットワーク用の動作チャネルとしてクリーンチャネルを選択し得る。代替的に、660Aで、スモールセル301は、図4B/図4Cの450B/450Cにおけるように、クリーンチャネルが利用可能ではないことに基づいてセルラーネットワークをオフにし得る。
【０１２０】
図6Bは、図3のスモールセル301などのスモールセルによって運用されるWLANへの干渉を低減するために、セルラーネットワーク用の動作チャネルを選択するための例示的なフローを示す。セルラーネットワークは、無認可スペクトル内のLTEアドバンストネットワークであり得る。図6Bに示すフローは、図3のスモールセル301によって実行され得る。図3に示すように、スモールセル301は、AP392などのWLANアクセスポイントと、セルラーモデム394などのセルラーネットワークモデムとを含み得る。
【０１２１】
605Bで、スモールセル301、具体的にはセルラーモデム394/NLM398は、図4Dの410Dまたは図5の510におけるように、利用可能なセルラーネットワークチャネルのチャネルスキャンを実行する。セルラーネットワークチャネルは、無認可スペクトル内のLTEチャネルであり得る。このチャネルスキャンは主に、無認可スペクトル内のLTE/LTEアドバンストにおけるチャネルが他の事業者によって使用されるのを回避するために実行される。チャネルを回避する優先順位は、無認可スペクトル内のLTE/LTEアドバンストネットワーク用に他の事業者によって使用されているチャネル、WLAN用に使用されているチャネル、無認可スペクトル内のLTE/LTEアドバンストネットワーク用に同じ事業者によって使用されているチャネルである。
【０１２２】
610Bで、スモールセル301、具体的にはAP392/NLM394は、図4B/図4Dの410B/410Dにおけるように、利用可能なチャネルの初期チャネルスキャンを実行する。
【０１２３】
615Bで、スモールセル301は、図5の520におけるように、利用可能なセルラーネットワーク干渉しきい値を下回る干渉レベルを有する1つまたは複数のセルラーネットワークチャネルがあるかどうかを判断する。セルラーネットワークチャネルは、無認可スペクトル内のLTEアドバンストチャネルであり得る。しきい値は、上記で説明したように、RSRPしきい値であり得る。
【０１２４】
620Bにおいて、スモールセル301は、ユーティリティ値を、図4B/図4Dの410B/410Dにおけるように、RSSIしきい値未満の最大ビーコンRSSIを有する各利用可能なチャネルに割り当てる。ユーティリティ値は、雑音フロアおよび最大ビーコンRSSIに基づき得る。615Bは620Bの前に行われるものとして示されているが、620Bは615Bの前に行われてもよいことに留意されたい。
【０１２５】
625Bで、スモールセル301は、図4B/図4Dの415B/415Dにおけるように、初期チャネルスキャンに基づいて、セルラーネットワーク用の動作チャネルとなるべきクリーンチャネルが利用可能であるかどうかを判断する。上記で説明したように、クリーンチャネルは、しきい値未満でWLANに干渉するチャネルであり得る。クリーンチャネルは、RSSIしきい値未満の最大ビーコンRSSIを有するチャネルであり得る。
【０１２６】
630Bで、スモールセル301は、図4B/図4Dの420B/420Dにおけるように、クリーンチャネルが利用可能であることに基づいてセルラーネットワーク用の動作チャネルとしてクリーンチャネルを選択し得る。選択された動作チャネルは、最も高いユーティリティ値を有する利用可能なチャネルであり得る。代替的に、635Bで、スモールセル301は、図4B/図4Dの450B/450Dにおけるように、クリーンチャネルが利用可能ではないことに基づいてセルラーネットワークをオフにし得る。
【０１２７】
640Bで、スモールセル301は、図4B/図4Dの425B/425Dにおけるように、周期的にまたはイベントに応答してチャネルスキャンを実行する。一例として、イベントは、WLAN APまたはWLAN APに接続されたユーザデバイスによる、しきい値よりも高い動作チャネルへの干渉の検出であり得る。
【０１２８】
645Bで、スモールセル301は、図4B/図4Dの430B/430Dにおけるように、利用可能なチャネルのデータベースを更新する。
【０１２９】
650Bで、スモールセル301は、図4B/図4Dの435B/435Dにおけるように、周期的なチャネルスキャンに基づいて新しい動作チャネルに切り替えるためのチャネル切替え基準が満たされたかどうかを判断する。上記で説明したように、チャネル切替え基準は、新しいビーコンのビーコンRSSIがしきい値よりも大きいかどうかの指示および/または動作チャネルよりも高いユーティリティ値を有する新しいチャネルがあるかどうかの指示を含み得る。
【０１３０】
655Bで、スモールセル301は、図4B/図4Dの440B/440Dにおけるように、チャネル切替え基準が満たされたと判断したことに基づいて、新しい動作チャネルに切り替える。さもなければ、チャネル切替え基準が満たされていない場合、フローは640Bに戻る。
【０１３１】
再び610Bを参照すると、セルラーネットワーク干渉しきい値を下回る干渉レベルを有するセルラーネットワークチャネルがない場合、660Bで、スモールセル301は、図5の530におけるように、WLAN APのスキャン期間と重複する、セルラーネットワーク干渉しきい値を上回る干渉レベルを有する任意のセルラーネットワーク信号を探索するためにネットワークリッスンを実行する。
【０１３２】
665Bで、スモールセル301は、図5の540におけるように、WLAN APの所与のスキャン期間におけるアクセスポイントビーコンミスを検出する。
【０１３３】
670Bで、スモールセル301は、図5の550におけるように、アクセスポイントビーコンミスがセルラーネットワーク信号の存在に相関付けられるかどうかを判断する。
【０１３４】
675Bにおいて、アクセスポイントビーコンミスがセルラーネットワーク信号の存在に相関付けられていることに基づいて、スモールセル301は、図5の560におけるように、干渉レベルがセルラーネットワーク干渉しきい値を上回らないまで、セルラーネットワーク信号に対応するセルラーネットワークチャネルについて以前のアクセスポイントビーコンRSSIを維持する、すなわち「フリーズ」する。さもなければ、ミスがセルラーネットワーク信号の存在に相関付けられていない場合、フローは645Bに進む。
【０１３５】
代替的に、ブロック660B〜675Bのフローを実行するのではなく、スモールセル301は、上記で説明したように、クリーンセルラーネットワーク信号を生成するために、セルラーネットワーク干渉しきい値を上回る干渉レベルを有するセルラーネットワーク信号に対して逐次干渉除去(SIC)を実行することができる。次いで、スモールセル301は、クリーンセルラーネットワーク信号をWLAN APに提供することができる。クリーンセルラーネットワーク信号は、セルラーネットワーク干渉しきい値を上回る干渉レベルを有するセルラーネットワーク信号を含まず、ビーコン検出のための残りのWLAN AP信号のみを含む波形であり得る。一態様では、SICおよび提供することは、ユーザデバイス302など、スモールセル301と通信しているユーザデバイスによって実行され得る。代替的に、SICおよび提供することは、スモールセル301によって実行され得る。
【０１３６】
別の代替として、利用可能なWLANアクセスポイントチャネルのチャネルスキャンは、スモールセル301を含む、同じ事業者に属する複数のスモールセルの間で同期され得る。この場合、スモールセル301は、WLAN APがスモールセルの現在のワイヤレス環境を判断するのを可能にするために、ミュートされ得る。
【０１３７】
図7は、機能を実行するように構成された論理を含む通信デバイス700を示す。通信デバイス700は、限定はしないが、ワイヤレス通信ネットワーク100の任意の構成要素、混合通信ネットワーク環境200の任意の構成要素、スモールセル301、ユーザデバイス302などを含む、上述の通信デバイスのうちのいずれかに対応することができる。
【０１３８】
図7を参照すると、通信デバイス700は、情報を受信および/または送信するように構成された論理705を含む。一例では、通信デバイス700がワイヤレス通信デバイス(たとえば、スモールセル301またはユーザデバイス302)に対応する場合、情報を受信および/または送信するように構成された論理705は、ワイヤレストランシーバおよび関連ハードウェア(たとえば、RFアンテナ、モデム、変調器および/または復調器など)などのワイヤレス通信インターフェース(たとえば、Bluetooth（登録商標）、WiFi、2G、CDMA、W-CDMA、3G、4G、LTEなど)を含むことができる。一態様では、通信デバイス700が図3のスモールセル301に対応する場合、情報を受信および/または送信するように構成された論理705は、たとえば、アンテナ340、送信機330、受信機350、NLM396、AP392、NLM398、および/またはセルラーモデム394を含むことができる。別の例では、情報を受信および/または送信するように構成された論理705は、ワイヤード通信インターフェース(たとえば、インターネットにアクセスする手段となり得るシリアル接続、USBまたはファイアワイヤ接続、イーサネット（登録商標）接続など)に対応することができる。したがって、通信デバイス700が、何らかのタイプのネットワークベースのサーバ(たとえば、アプリケーションサーバ)に対応する場合、情報を受信および/または送信するように構成された論理705は、一例では、イーサネット（登録商標）プロトコルを介してネットワークベースのサーバを他の通信エンティティに接続するイーサネット（登録商標）カードに対応することができる。さらなる例では、情報を受信および/または送信するように構成された論理705は、通信デバイス700がそのローカル環境をモニターする手段となり得る感知または測定ハードウェア(たとえば、加速度計、温度センサー、光センサー、ローカルRF信号をモニターするためのアンテナなど)を含むことができる。情報を受信および/または送信するように構成された論理705は、実行されると、情報を受信および/または送信するように構成された論理705の関連ハードウェアがその受信機能および/または送信機能を実行することを可能にするソフトウェアも含むことができる。しかしながら、情報を受信および/または送信するように構成された論理705は、ソフトウェアだけに対応するのではなく、情報を受信および/または送信するように構成された論理705は、その機能を達成するためのハードウェアに少なくとも部分的に依拠する。
【０１３９】
図7を参照すると、通信デバイス700は、情報を処理するように構成された論理710をさらに含む。一例では、情報を処理するように構成された論理710は、少なくともプロセッサを含むことができる。情報を処理するように構成された論理710によって実行され得るタイプの処理の例示的な実装形態は、限定はしないが、判断を行うこと、接続を確立すること、異なる情報オプション間で選択を行うこと、データに関係する評価を実行すること、測定動作を実行するために通信デバイス700に結合されたセンサーと対話すること、情報をあるフォーマットから別のフォーマットに(たとえば、.wmvから.aviへなど、異なるプロトコル間で)変換することなどを含む。たとえば、情報を処理するように構成された論理710に含まれるプロセッサは、汎用プロセッサ、デジタル信号プロセッサ(DSP)、ASIC、フィールドプログラマブルゲートアレイ(FPGA)もしくは他のプログラマブル論理デバイス、個別ゲートもしくはトランジスタ論理、個別ハードウェア構成要素、または本明細書で説明する機能を実行するように設計されたそれらの任意の組合せに対応することができる。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、DSPとマイクロプロセッサの組合せ、複数のマイクロプロセッサ、DSPコアと連携する1つもしくは複数のマイクロプロセッサ、または任意の他のそのような構成として実装され得る。一態様では、通信デバイス700が図3のスモールセル301に対応する場合、情報を処理するように構成された論理710は、たとえば、TXデータプロセッサ310、RXデータプロセッサ370、プロセッサ380、および/またはコントローラ/プロセッサ382を含むことができる。情報を処理するように構成された論理710は、実行されると、情報を処理するように構成された論理710の関連ハードウェアがその処理機能を実行することを可能にするソフトウェアも含むことができる。しかしながら、情報を処理するように構成された論理710は、ソフトウェアだけに対応するのではなく、情報を処理するように構成された論理710は、その機能を達成するためにハードウェアに少なくとも部分的に依拠する。
【０１４０】
図7を参照すると、通信デバイス700は、情報を記憶するように構成された論理715をさらに含む。一例では、情報を記憶するように構成された論理715は、少なくとも非一時的メモリおよび関連ハードウェア(たとえば、メモリコントローラなど)を含むことができる。たとえば、情報を記憶するように構成された論理715に含まれる非一時的メモリは、RAM、フラッシュメモリ、ROM、消去可能プログラマブルROM(EPROM)、EEPROM、レジスタ、ハードディスク、リムーバブルディスク、CD-ROM、または当技術分野で知られている任意の他の形態の記憶媒体に対応することができる。一態様では、通信デバイス700が図3のスモールセル301に対応する場合、情報を記憶するように構成された論理715は、たとえば、メモリ384を含むことができる。情報を記憶するように構成された論理715は、実行されると、情報を記憶するように構成された論理715の関連ハードウェアがその記憶機能を実行することを可能にするソフトウェアも含むことができる。しかしながら、情報を記憶するように構成された論理715は、ソフトウェアだけに対応するのではなく、情報を記憶するように構成された論理715は、その機能を達成するためにハードウェアに少なくとも部分的に依拠する。
【０１４１】
図7を参照すると、通信デバイス700は、情報を提示するように構成された論理720をさらにオプションで含む。一例では、情報を提示するように構成された論理720は、少なくとも出力デバイスおよび関連ハードウェアを含むことができる。たとえば、出力デバイスは、ビデオ出力デバイス(たとえば、ディスプレイスクリーン、USB、HDMI（登録商標）などのビデオ情報を搬送することができるポートなど)、オーディオ出力デバイス(たとえば、スピーカ、マイクロフォンジャック、USB、HDMI（登録商標）などのオーディオ情報を搬送することができるポートなど)、振動デバイス、および/または、情報がそれによって出力のためにフォーマットされ得る、または通信デバイス700のユーザもしくは操作者によって実際に出力され得る任意の他のデバイスを含むことができる。情報を提示するように構成された論理720は、ローカルユーザをもたないネットワーク通信デバイス(たとえば、ネットワークスイッチまたはルータ、リモートサーバなど)など、いくつかの通信デバイスに関しては省くことができる。情報を提示するように構成された論理720は、実行されると、情報を提示するように構成された論理720の関連ハードウェアがその提示機能を実行することを可能にするソフトウェアも含むことができる。しかしながら、情報を提示するように構成された論理720は、ソフトウェアだけに対応するのではなく、情報を提示するように構成された論理720は、その機能を達成するためにハードウェアに少なくとも部分的に依拠する。
【０１４２】
図7を参照すると、通信デバイス700は、ローカルユーザ入力を受信するように構成された論理725をさらにオプションで含む。一例では、ローカルユーザ入力を受信するように構成された論理725は、少なくともユーザ入力デバイスおよび関連ハードウェアを含むことができる。たとえば、ユーザ入力デバイスは、ボタン、タッチスクリーンディスプレイ、キーボード、カメラ、オーディオ入力デバイス(たとえば、マイクロフォン、またはマイクロフォンジャックなどのオーディオ情報を搬送することができるポートなど)、および/または情報がそれによって通信デバイス700のユーザもしくは操作者から受信され得る任意の他のデバイスを含むことができる。ローカルユーザ入力を受信するように構成された論理725は、ローカルユーザをもたないネットワーク通信デバイス(たとえば、ネットワークスイッチまたはルータ、リモートサーバなど)など、いくつかの通信デバイスに関しては省くことができる。ローカルユーザ入力を受信するように構成された論理725は、実行されると、ローカルユーザ入力を受信するように構成された論理725の関連ハードウェアがその入力受信機能を実行することを可能にするソフトウェアも含むことができる。しかしながら、ローカルユーザ入力を受信するように構成された論理725は、ソフトウェアだけに対応するのではなく、ローカルユーザ入力を受信するように構成された論理725は、その機能を達成するためにハードウェアに少なくとも部分的に依拠する。
【０１４３】
図7を参照すると、705〜725の構成された論理は、図7では別個のまたは相異なるブロックとして示されているが、それぞれの構成された論理がその機能を実行するためのハードウェアおよび/またはソフトウェアは、部分的に重複できることが諒解されよう。たとえば、705〜725の構成された論理の機能を容易にするために使用される任意のソフトウェアを、情報を記憶するように構成された論理715に関連付けられた非一時的メモリに記憶することができ、それにより、705〜725の構成された論理は各々、その機能(すなわち、この場合、ソフトウェア実行)を、情報を記憶するように構成された論理715によって記憶されたソフトウェアの動作に部分的に基づいて実行する。同様に、構成された論理のうちの1つに直接関連付けられたハードウェアは、時々、他の構成された論理によって借用または使用され得る。たとえば、情報を処理するように構成された論理710のプロセッサは、データを、情報を受信および/または送信するように構成された論理705によって送信される前に、適切な形式にフォーマットすることができ、それにより、情報を受信および/または送信するように構成された論理705は、その機能(すなわち、この場合、データの送信)を、情報を処理するように構成された論理710に関連付けられたハードウェア(すなわち、プロセッサ)の動作に部分的に基づいて実行する。
【０１４４】
一般に、別段に明示的に記載されていない限り、本開示全体にわたって使用される「ように構成された論理」という句は、ハードウェアで少なくとも部分的に実装される態様を呼び出すものとし、ハードウェアから独立したソフトウェアだけの実装形態に位置づけるものではない。また、様々なブロックの構成された論理または「ように構成された論理」は、特定の論理ゲートまたは要素に限定されず、一般に、(ハードウェアまたはハードウェアとソフトウェアの組合せのいずれかを介して)本明細書で説明する機能を実行する能力を指すことが諒解されよう。したがって、様々なブロックに示す構成された論理または「ように構成された論理」は、「論理」という言葉を共有するにもかかわらず、必ずしも論理ゲートまたは論理要素として実装されるとは限らない。様々なブロックの論理間の他の対話または協働が、以下でより詳細に説明する態様の検討から、当業者には明らかになるであろう。
【０１４５】
図8は、本明細書で教示するように、WLANへの干渉を低減するために、セルラーネットワーク用の動作チャネルの選択をサポートするように、(たとえば、それぞれ、ユーザデバイス、スモールセル基地局、およびネットワークに対応する)装置802、装置804、および装置806に組み込まれ得る(対応するブロックによって表される)いくつかのサンプル構成要素を示す。これらの構成要素は、(たとえば、ASIC、SoCなどにおける)異なる実装形態における異なるタイプの装置に実装され得ることが諒解されよう。図示した構成要素は、通信システム内の他の装置にも組み込まれ得る。たとえば、システム内の他の装置は、同様の機能を提供するために、説明した構成要素と同様の構成要素を含み得る。また、所与の装置は、構成要素のうちの1つまたは複数を含み得る。たとえば、装置は、装置が複数のキャリア上で動作するおよび/または異なる技術を介して通信することを可能にする複数のトランシーバ構成要素を含み得る。
【０１４６】
装置802および装置804は各々、少なくとも1つの指定されたRATを介して他のノードと通信するための(通信デバイス808および814(および装置804がリレーである場合は通信デバイス820)によって表される)少なくとも1つのワイヤレス通信デバイスを含む。各通信デバイス808は、信号(たとえば、メッセージ、指示、情報など)を送信し符号化するための(送信機810によって表される)少なくとも1つの送信機と、信号(たとえば、メッセージ、指示、情報、パイロットなど)を受信し復号するための(受信機812によって表される)少なくとも1つの受信機とを含む。同様に、各通信デバイス814は、信号(たとえば、メッセージ、指示、情報、パイロットなど)を送信するための(送信機816によって表される)少なくとも1つの送信機と、信号(たとえば、メッセージ、指示、情報など)を受信するための(受信機818によって表される)少なくとも1つの受信機とを含む。装置804がリレー局である場合、各通信デバイス820は、信号(たとえば、メッセージ、指示、情報、パイロットなど)を送信するための(送信機822によって表される)少なくとも1つの送信機と、信号(たとえば、メッセージ、指示、情報など)を受信するための(受信機824によって表される)少なくとも1つの受信機とを含み得る。
【０１４７】
送信機および受信機は、いくつかの実装形態では(たとえば、単一の通信デバイスの送信機回路および受信機回路として具現化される)集積デバイスを備え得るか、いくつかの実装形態では別個の送信機デバイスおよび別個の受信機デバイスを備え得るか、または他の実装形態では他の方法で具現化され得る。装置804のワイヤレス通信デバイス(たとえば、複数のワイヤレス通信デバイスのうちの1つ)は、様々な測定を実行するためのネットワークリッスンモジュール(NLM)なども備え得る。
【０１４８】
装置806(および装置806がリレー局でない場合は装置804)は、他のノードと通信するための(通信デバイス826およびオプションで820によって表される)少なくとも1つの通信デバイスを含む。たとえば、通信デバイス826は、ワイヤベースのまたはワイヤレスのバックホールを介して1つまたは複数のネットワークエンティティと通信するように構成されたネットワークインターフェースを備え得る。いくつかの態様では、通信デバイス826は、ワイヤベースのまたはワイヤレスの信号通信をサポートするように構成されたトランシーバとして実装され得る。この通信は、たとえば、メッセージ、パラメータ、または他のタイプの情報を送信および受信するステップを含み得る。したがって、図8の例では、通信デバイス826は、送信機828および受信機830を備えるものとして示される。同様に、装置804がリレー局でない場合、通信デバイス820は、ワイヤベースのまたはワイヤレスのバックホールを介して1つまたは複数のネットワークエンティティと通信するように構成されたネットワークインターフェースを備え得る。通信デバイス826と同様に、通信デバイス820は、送信機822および受信機824を備えるものとして示される。
【０１４９】
装置802、804、および806は、本明細書で教示するように、WLANへの干渉を低減するために、セルラーネットワーク用の動作チャネルを選択する動作とともに使用され得る他の構成要素も含む。装置802は、たとえば、本明細書で教示するように、STAおよびUE報告に関連する機能を提供し、他の処理機能を提供するための処理システム832を含む。装置804は、たとえば、本明細書で教示するように、WLANへの干渉を低減するために、セルラーネットワーク用の動作チャネルを選択することに関連する機能を提供し、他の処理機能を提供するための処理システム834を含む。装置806は、たとえば、本明細書で教示するように、WLANへの干渉を低減するために、セルラーネットワーク用の動作チャネルの選択をサポートするためのネットワーク動作に関連する機能を提供し、他の処理機能を提供するための処理システム836を含む。装置802、804、および806は、それぞれ、情報(たとえば、予約されたリソースを示す情報、しきい値、パラメータなど)を維持するためのメモリ構成要素838、840、および842(たとえば、各々がメモリデバイスを含む)を含む。加えて、装置802、804、および806は、それぞれ、ユーザに指示(たとえば、可聴および/または視覚指示)を与えるため、および/または(たとえば、キーパッド、タッチスクリーン、マイクロフォンなどの検知デバイスをユーザが作動させると)ユーザ入力を受信するためのユーザインターフェースデバイス844、846、および848を含む。
【０１５０】
便宜上、装置802、804、および/または806は、本明細書で説明する様々な例に従って構成され得る様々な構成要素を含むものとして、図8に示される。しかしながら、図示したブロックは異なる設計において異なる機能を有し得ることが諒解されよう。
【０１５１】
図8の構成要素は、様々な方法で実装され得る。いくつかの実装形態では、図8の構成要素は、たとえば、1つもしくは複数のプロセッサおよび/または(1つまたは複数のプロセッサを含み得る)1つもしくは複数のASICなど、1つまたは複数の回路において実装され得る。ここで、各回路は、この機能を提供する回路によって使用される情報または実行可能コードを記憶するための少なくとも1つのメモリ構成要素を使用するおよび/または組み込むことができる。たとえば、ブロック808、832、838、および844によって表される機能のいくつかまたはすべては、装置802のプロセッサおよびメモリ構成要素によって(たとえば、適切なコードの実行によっておよび/またはプロセッサ構成要素の適切な構成によって)実装され得る。同様に、ブロック814、820、834、840、および846によって表される機能のいくつかまたはすべては、装置804のプロセッサおよびメモリ構成要素によって(たとえば、適切なコードの実行によっておよび/またはプロセッサ構成要素の適切な構成によって)実装され得る。また、ブロック826、836、842、および848によって表される機能のいくつかまたはすべては、装置806のプロセッサおよびメモリ構成要素によって(たとえば、適切なコードの実行によっておよび/またはプロセッサ構成要素の適切な構成によって)実装され得る。
【０１５２】
図9は、相互に関係する一連の機能モジュールとして表される、例示的な基地局装置900を示す。利用可能なチャネルのチャネルスキャンを実行するためのモジュール902は、少なくともいくつかの態様では、たとえば、本明細書で説明する図3のAP392および/またはNLM396などのWLANアクセスポイントおよび/または対応するNLMに対応し得る。チャネルスキャンに基づいてセルラーネットワーク用の動作チャネルとなるべきクリーンチャネルがあるかどうかを判断するためのモジュール904は、少なくともいくつかの態様では、たとえば、本明細書で説明する図3のプロセッサ382などの処理システムに対応し得る。セルラーネットワーク用の動作チャネルとしてクリーンチャネルを選択するか、またはクリーンチャネルが利用可能ではないことに基づいてセルラーネットワークをオフにするためのモジュール906は、少なくともいくつかの態様では、たとえば、本明細書で説明する図3のプロセッサ382などの処理システムに対応し得る。
【０１５３】
図10は、相互に関係する一連の機能モジュールとして表される、例示的なユーザデバイス装置1000を示す。セルラーネットワークを動作させるための利用可能なチャネルの第1のチャネルスキャンを実行するためのモジュール1002は、少なくともいくつかの態様では、たとえば、本明細書で説明する図3のセルラーモデム394および/またはNLM398などのセルラーモデムおよび/または対応するNLMに対応し得る。セルラーネットワークを動作させるための利用可能なチャネルの第2のチャネルスキャンを実行するためのモジュール1004は、少なくともいくつかの態様では、たとえば、本明細書で説明する図3のAP392および/またはNLM396などのWLANアクセスポイントおよび/または対応するNLMに対応し得る。第1のチャネルスキャンに基づいて、セルラーネットワーク干渉しきい値を下回る干渉レベルを有する利用可能なチャネルのうちの1つまたは複数のセルラーネットワークチャネルを識別するためのモジュール1006は、少なくともいくつかの態様では、たとえば、本明細書で説明する図3のプロセッサ382などの処理システムに対応し得る。第2のチャネルスキャンに基づいて、識別された1つまたは複数のセルラーネットワークチャネルの中にセルラーネットワーク用の動作チャネルとなるべきクリーンチャネルがあるかどうかを判断するためのモジュール1008は、少なくともいくつかの態様では、たとえば、本明細書で説明する図3のプロセッサ382などの処理システムに対応し得る。クリーンチャネルが利用可能であることに基づいてセルラーネットワーク用の動作チャネルとしてクリーンチャネルを選択するか、またはクリーンチャネルが利用可能ではないことに基づいてセルラーネットワークをオフにするためのモジュール1010は、少なくともいくつかの態様では、たとえば、本明細書で説明する図3のプロセッサ382などの処理システムに対応し得る。
【０１５４】
図9〜図10のモジュールの機能は、本明細書の教示と矛盾しない様々な方法で実装され得る。いくつかの設計では、これらのモジュールの機能は、1つまたは複数の電気構成要素として実装され得る。いくつかの設計では、これらのブロックの機能は、1つまたは複数のプロセッサ構成要素を含む処理システムとして実装され得る。いくつかの設計では、これらのモジュールの機能は、たとえば、1つまたは複数の集積回路(たとえば、ASIC)の少なくとも一部分を使用して実装され得る。本明細書で説明するように、集積回路は、プロセッサ、ソフトウェア、他の関連の構成要素、またはそれらの何らかの組合せを含み得る。したがって、異なるモジュールの機能は、たとえば、集積回路の異なるサブセット、ソフトウェアモジュールのセットの異なるサブセット、またはこれらの組合せとして実装され得る。また、(たとえば、集積回路の、および/またはソフトウェアモジュールのセットの)所与のサブセットが、2つ以上のモジュールに関する機能の少なくとも一部分を提供し得ることが諒解されよう。
【０１５５】
加えて、図9〜図10によって表される構成要素および機能ならびに本明細書で説明する他の構成要素および機能は、任意の適切な手段を使用して実装され得る。そのような手段はまた、少なくとも部分的に、本明細書で教示する対応する構造を使用して実装され得る。たとえば、図9〜図10の「ためのモジュール」構成要素とともに上記で説明した構成要素は、同様に指定された「ための手段」機能にも対応し得る。したがって、いくつかの態様では、そのような手段のうちの1つまたは複数は、プロセッサ構成要素、集積回路、または本明細書で教示する他の適切な構造のうちの1つまたは複数を使用して実装され得る。
【０１５６】
当業者は、情報および信号が様々な異なる技術および技法のうちのいずれかを使用して表され得ることを諒解されよう。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１５７】
さらに、当業者は、本明細書で開示する態様に関連して説明した様々な例示的な論理ブロック、モジュール、回路、およびアルゴリズムステップが電子ハードウェア、コンピュータソフトウェア、または両方の組合せとして実装され得ることを諒解されよう。ハードウェアおよびソフトウェアのこの互換性を明確に示すために、様々な例示的な構成要素、ブロック、モジュール、回路、およびステップについて、概してそれらの機能に関して上記で説明してきた。そのような機能がハードウェアとして実装されるか、またはソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱をもたらすものと解釈されるべきではない。
【０１５８】
本明細書で開示する態様に関して説明した方法、シーケンスおよび/またはアルゴリズムは、ハードウェアで、プロセッサによって実行されるソフトウェアモジュールで、またはその2つの組合せで直接具現化され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体内に常駐し得る。例示的な記憶媒体は、プロセッサが記憶媒体から情報を読み取り、記憶媒体に情報を書き込むことができるように、プロセッサに結合される。代替として、記憶媒体はプロセッサと一体化され得る。
【０１５９】
したがって、本開示の一態様は、セルラーネットワークからワイヤレスローカルエリアネットワークへの干渉を低減するチャネル選択のための方法を具現化するコンピュータ可読媒体を含むことができる。したがって、本開示は図示の例に限定されず、本明細書で説明する機能を実行するためのいかなる手段も、本開示の態様に含まれる。
【０１６０】
上記は本開示の例示的な態様を示すが、添付の特許請求の範囲によって規定される本開示の範囲から逸脱することなく、本明細書で様々な変更および修正が行われ得ることに留意されたい。本明細書で説明する開示の態様による方法クレームの機能、ステップおよび/または動作は、特定の順序で実行される必要はない。さらに、本開示の要素は、単数形で記載または特許請求されている場合があるが、単数形に限定することが明示的に述べられていない限り、複数形が企図される。
【符号の説明】
【０１６１】
100  ワイヤレス通信ネットワーク
102、102A〜102G  セル
104、104A〜104G  基地局
106、106A〜106L  ユーザデバイス
200  混合通信ネットワーク環境
205  マクロ基地局
210  スモールセル
212  スモールセル
215  エリア
217  エリア
220  ユーザデバイス
221  ユーザデバイス
222  ユーザデバイス
230  マクロエリア
240  ネットワーク
250  スモールセル
252  AP
254  セルラーモデム
256  ネットワークリッスン(NL)モジュール
258  ネットワークリッスン(NL)モジュール
260  ホスト
262  局(STA)
264  UE
301  スモールセル
302  ユーザデバイス
310  TXデータプロセッサ
320  シンボル変調器
330  送信機ユニット(TMTR)
340  アンテナ
350  受信機ユニット(RCVR)
360  シンボル復調器
370  RXデータプロセッサ
380  プロセッサ
382  コントローラ/プロセッサ
384  メモリ
386  バス
392  AP
394  セルラーモデム
396  NLM
398  NLM
700  通信デバイス
705  情報を受信および/または送信するように構成された論理
710  情報を処理するように構成された論理
715  情報を記憶するように構成された論理
720  情報を提示するように構成された論理
725  ローカルユーザ入力を受信するように構成された論理
802  装置
804  装置
806  装置
808  通信デバイス
810  送信機
812  受信機
814  通信デバイス
816  送信機
818  受信機
820  通信デバイス
822  送信機
824  受信機
826  通信デバイス
828  送信機
830  受信機
832  処理システム
834  処理システム
836  処理システム
838  メモリ構成要素
840  メモリ構成要素
842  メモリ構成要素
844  ユーザインターフェースデバイス
846  ユーザインターフェースデバイス
848  ユーザインターフェースデバイス
900  基地局装置
902  モジュール
904  モジュール
906  モジュール
1000  ユーザデバイス装置
1002  モジュール
1004  モジュール
1006  モジュール
1008  モジュール
1010  モジュール
【図１】
2016529852.tif 000003
【図２Ａ】
2016529852.tif 000004
【図２Ｂ】
2016529852.tif 000005
【図３】
2016529852.tif 000006
【図４Ａ】
2016529852.tif 000007
【図４Ｂ】
2016529852.tif 000008
【図４Ｃ】
2016529852.tif 000009
【図４Ｄ】
2016529852.tif 000010
【図５】
2016529852.tif 000011
【図６Ａ】
2016529852.tif 000012
【図６Ｂ】
2016529852.tif 000013
【図７】
2016529852.tif 000014
【図８】
2016529852.tif 000015
【図９】
2016529852.tif 000016
【図１０】
2016529852.tif 000017
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
スモールセル(301)によって運用されるワイヤレスローカルエリアネットワーク(WLAN)への干渉を低減するために、セルラーネットワーク用の動作チャネルを選択するための方法であって、
前記スモールセルによって、利用可能なチャネルのチャネルスキャンを実行する(610A; 620A)ステップであって、前記スモールセルがWLANアクセスポイント(392)とセルラーネットワークモデム(394)とを備える、ステップと、
前記チャネルスキャンに基づいて前記セルラーネットワーク用の前記動作チャネルとなるべきクリーンチャネルがあるかどうかを判断する(640A)ステップであって、前記クリーンチャネルがWLAN干渉しきい値未満で前記WLANに干渉するチャネルを備える、ステップと、
前記クリーンチャネルが利用可能であることに基づいて前記セルラーネットワーク用の前記動作チャネルとして前記クリーンチャネルを選択する(650A)か、または前記クリーンチャネルが利用可能ではないことに基づいて前記セルラーネットワークをオフにする(660A)ステップと
を備える方法。
【請求項２】
前記クリーンチャネルが、RSSIしきい値未満の最大ビーコン受信信号強度インジケータ(RSSI)を有するチャネルを備える、請求項1に記載の方法。
【請求項３】
前記WLAN干渉しきい値が、前記RSSIしきい値を備える、請求項2に記載の方法。
【請求項４】
ユーティリティ値を、RSSIしきい値未満の最大ビーコンRSSIを有する各利用可能なチャネルに割り当てるステップであって、前記ユーティリティ値が雑音フロアおよび前記最大ビーコンRSSIに基づく、ステップ
をさらに備える、請求項1に記載の方法。
【請求項５】
前記選択された動作チャネルが、最も高いユーティリティ値を有する利用可能なチャネルを備える、請求項4に記載の方法。
【請求項６】
周期的にまたはイベントに応答して前記チャネルスキャンを実行するステップ
をさらに備える、請求項1に記載の方法。
【請求項７】
前記イベントが、前記WLANアクセスポイントまたは前記WLANアクセスポイントに接続されたユーザデバイスによる、しきい値よりも高い前記動作チャネルへの干渉の検出を備える、請求項6に記載の方法。
【請求項８】
前記チャネルスキャンに基づいて新しい動作チャネルに切り替えるためのチャネル切替え基準が満たされたかどうかを判断するステップと、
前記チャネル切替え基準が満たされたと判断したことに基づいて、前記新しい動作チャネルに切り替えるステップと
をさらに備える、請求項1に記載の方法。
【請求項９】
前記チャネル切替え基準が、新しいビーコンのビーコンRSSIが前記しきい値よりも大きいかどうかの指示および/または前記動作チャネルよりも高いユーティリティ値を有する新しいチャネルがあるかどうかの指示を備える、請求項8に記載の方法。
【請求項１０】
前記セルラーネットワークが、無認可スペクトル内のロングタームエボリューション(LTE)ネットワークを備える、請求項1に記載の方法。
【請求項１１】
スモールセル(301)によって運用されるワイヤレスローカルエリアネットワーク(WLAN)への干渉を低減するために、セルラーネットワーク用の動作チャネルを選択するための方法であって、
前記スモールセルのセルラーネットワークモデム(394)によって、前記セルラーネットワークを動作させるための利用可能なチャネルの第1のチャネルスキャンを実行する(610A)ステップと、
前記スモールセルのWLANアクセスポイント(392)によって、前記セルラーネットワークを動作させるための前記利用可能なチャネルの第2のチャネルスキャンを実行する(620A)ステップと、
前記第1のチャネルスキャンに基づいて、セルラーネットワーク干渉しきい値を下回る干渉レベルを有する前記利用可能なチャネルのうちの1つまたは複数のセルラーネットワークチャネルを識別する(630A)ステップと、
前記第2のチャネルスキャンに基づいて、前記識別された1つまたは複数のセルラーネットワークチャネルの中に前記セルラーネットワーク用の前記動作チャネルとなるべきクリーンチャネルがあるかどうかを判断する(640A)ステップであって、前記クリーンチャネルがWLAN干渉しきい値未満で前記WLANに干渉するチャネルを備える、ステップと、
前記クリーンチャネルが利用可能であることに基づいて前記セルラーネットワーク用の前記動作チャネルとして前記クリーンチャネルを選択する(650A)か、または前記クリーンチャネルが利用可能ではないことに基づいて前記セルラーネットワークをオフにする(660A)ステップと
を備える方法。
【請求項１２】
前記クリーンチャネルが、RSSIしきい値未満の最大ビーコン受信信号強度インジケータ(RSSI)を有するチャネルを備える、請求項11に記載の方法。
【請求項１３】
前記WLAN干渉しきい値が、前記RSSIしきい値を備える、請求項12に記載の方法。
【請求項１４】
ユーティリティ値を、RSSIしきい値未満の最大ビーコンRSSIを有する前記1つまたは複数のチャネルの各々に割り当てるステップであって、前記ユーティリティ値が雑音フロアおよび前記最大ビーコンRSSIに基づく、ステップ
をさらに備える、請求項11に記載の方法。
【請求項１５】
前記選択された動作チャネルが、最も高いユーティリティ値を有する利用可能なチャネルを備える、請求項14に記載の方法。
【請求項１６】
周期的にまたはイベントに応答して前記第1のチャネルスキャンおよび前記第2のチャネルスキャンを実行するステップ
をさらに備える、請求項11に記載の方法。
【請求項１７】
前記イベントが、前記WLANアクセスポイントまたは前記WLANアクセスポイントに接続されたユーザデバイスによる、しきい値よりも高い前記動作チャネルへの干渉の検出を備える、請求項16に記載の方法。
【請求項１８】
前記第2のチャネルスキャンに基づいて新しい動作チャネルに切り替えるためのチャネル切替え基準が満たされたかどうかを判断するステップと、
前記チャネル切替え基準が満たされたと判断したことに基づいて、前記新しい動作チャネルに切り替えるステップと
をさらに備える、請求項11に記載の方法。
【請求項１９】
前記チャネル切替え基準が、新しいビーコンのビーコンRSSIが前記WLAN干渉しきい値よりも大きいかどうかの指示および/または前記動作チャネルよりも高いユーティリティ値を有する新しいチャネルがあるかどうかの指示を備える、請求項18に記載の方法。
【請求項２０】
前記セルラーネットワークが、無認可スペクトル内のロングタームエボリューション(LTE)ネットワークを備える、請求項11に記載の方法。
【請求項２１】
前記セルラーネットワーク干渉しきい値を下回る干渉レベルを有する前記セルラーネットワークチャネルが利用可能ではないことに基づいて、利用不可能なセルラーネットワークチャネルを除外するステップ
をさらに備える、請求項11に記載の方法。
【請求項２２】
前記除外するステップが、
前記WLANアクセスポイントのスキャン期間と重複する、前記セルラーネットワーク干渉しきい値を上回る干渉レベルを有する任意のセルラーネットワーク信号を探索するために、ネットワークリッスンを実行するステップと、
前記WLANアクセスポイントの所与のスキャン期間におけるアクセスポイントビーコンミスを検出するステップと、
前記アクセスポイントビーコンミスがセルラーネットワーク信号の存在に相関付けられるかどうかを判断するステップと、
前記アクセスポイントビーコンミスがセルラーネットワーク信号の存在に相関付けられることに基づいて、前記干渉レベルが前記セルラーネットワーク干渉しきい値を上回らないまで、前記セルラーネットワーク信号に対応するセルラーネットワークチャネルについて以前のアクセスポイントビーコンRSSIを維持するステップと
を備える、請求項21に記載の方法。
【請求項２３】
前記除外するステップが、
前記セルラーネットワーク干渉しきい値を上回る干渉レベルを有するセルラーネットワーク信号に対して逐次干渉除去を実行することによって、クリーンセルラーネットワーク信号を生成するステップと、
前記クリーンセルラーネットワーク信号を前記WLANアクセスポイントに提供するステップと
を備える、請求項21に記載の方法。
【請求項２４】
前記クリーンセルラーネットワーク信号が、前記セルラーネットワーク干渉しきい値を上回る前記干渉レベルを有する前記セルラーネットワーク信号を含まず、ビーコン検出のための残りのWLANアクセスポイント信号のみを含む波形を備える、請求項23に記載の方法。
【請求項２５】
前記逐次干渉除去を前記実行するステップおよび前記提供するステップが、前記スモールセルと通信しているユーザデバイスによって実行される、請求項23に記載の方法。
【請求項２６】
前記逐次干渉除去を前記実行するステップおよび前記提供するステップが、前記スモールセルによって実行される、請求項23に記載の方法。
【請求項２７】
前記除外するステップが、
同じ事業者に属する複数のスモールセルの間で利用可能なWLANアクセスポイントチャネルのチャネルスキャンを同期させるステップであって、前記複数のスモールセルが前記スモールセルを含む、ステップと、
前記WLANアクセスポイントが前記スモールセルの現在のワイヤレス環境を判断するのを可能にするために、前記スモールセルをミュートするステップと
を備える、請求項21に記載の方法。
【請求項２８】
前記利用可能なチャネルが、前記セルラーネットワークを動作させるために利用可能なすべてのセルラーネットワークチャネルを備える、請求項11に記載の方法。
【請求項２９】
スモールセル(301)によって運用されるワイヤレスローカルエリアネットワーク(WLAN)への干渉を低減するために、セルラーネットワーク用の動作チャネルを選択するための装置(900)であって、
前記スモールセルによって、利用可能なチャネルのチャネルスキャンを実行する(610A; 620A)ように構成された論理(902)であって、前記スモールセルがWLANアクセスポイント(392)とセルラーネットワークモデム(394)とを備える、論理と、
前記チャネルスキャンに基づいて前記セルラーネットワーク用の前記動作チャネルとなるべきクリーンチャネルがあるかどうかを判断する(640A)ように構成された論理(904)であって、前記クリーンチャネルがWLAN干渉しきい値未満で前記WLANに干渉するチャネルを備える、論理と、
前記クリーンチャネルが利用可能であることに基づいて前記セルラーネットワーク用の前記動作チャネルとして前記クリーンチャネルを選択する(650A)か、または前記クリーンチャネルが利用可能ではないことに基づいて前記セルラーネットワークをオフにする(660A)ように構成された論理(906)と
を備える装置。
【請求項３０】
前記クリーンチャネルが、RSSIしきい値未満の最大ビーコン受信信号強度インジケータ(RSSI)を有するチャネルを備える、請求項29に記載の装置。
【請求項３１】
前記WLAN干渉しきい値が、前記RSSIしきい値を備える、請求項30に記載の装置。
【請求項３２】
ユーティリティ値を、RSSIしきい値未満の最大ビーコンRSSIを有する各利用可能なチャネルに割り当てるように構成された論理であって、前記ユーティリティ値が雑音フロアおよび前記最大ビーコンRSSIに基づく、論理
をさらに備える、請求項29に記載の装置。
【請求項３３】
前記選択された動作チャネルが、最も高いユーティリティ値を有する利用可能なチャネルを備える、請求項32に記載の装置。
【請求項３４】
周期的にまたはイベントに応答して前記チャネルスキャンを実行するように構成された論理
をさらに備える、請求項29に記載の装置。
【請求項３５】
前記イベントが、前記WLANアクセスポイントまたは前記WLANアクセスポイントに接続されたユーザデバイスによる、しきい値よりも高い前記動作チャネルへの干渉の検出を備える、請求項34に記載の装置。
【請求項３６】
前記チャネルスキャンに基づいて新しい動作チャネルに切り替えるためのチャネル切替え基準が満たされたかどうかを判断するように構成された論理と、
前記チャネル切替え基準が満たされたという判断に基づいて、前記新しい動作チャネルに切り替えるように構成された論理と
をさらに備える、請求項29に記載の装置。
【請求項３７】
前記チャネル切替え基準が、新しいビーコンのビーコンRSSIが前記しきい値よりも大きいかどうかの指示および/または前記動作チャネルよりも高いユーティリティ値を有する新しいチャネルがあるかどうかの指示を備える、請求項36に記載の装置。
【請求項３８】
前記セルラーネットワークが、無認可スペクトル内のロングタームエボリューション(LTE)ネットワークを備える、請求項29に記載の装置。
【請求項３９】
スモールセル(301)によって運用されるワイヤレスローカルエリアネットワーク(WLAN)への干渉を低減するために、セルラーネットワーク用の動作チャネルを選択するための装置(1000)であって、
前記スモールセルのセルラーネットワークモデム(394)によって、前記セルラーネットワークを動作させるための利用可能なチャネルの第1のチャネルスキャンを実行する(610A)ように構成された論理(1002)と、
前記スモールセルのWLANアクセスポイント(392)によって、前記セルラーネットワークを動作させるための前記利用可能なチャネルの第2のチャネルスキャンを実行する(620A)ように構成された論理(1004)と、
前記第1のチャネルスキャンに基づいて、セルラーネットワーク干渉しきい値を下回る干渉レベルを有する前記利用可能なチャネルのうちの1つまたは複数のセルラーネットワークチャネルを識別する(630A)ように構成された論理(1006)と、
前記第2のチャネルスキャンに基づいて、前記識別された1つまたは複数のセルラーネットワークチャネルの中に前記セルラーネットワーク用の前記動作チャネルとなるべきクリーンチャネルがあるかどうかを判断する(640A)ように構成された論理(1008)であって、前記クリーンチャネルがWLAN干渉しきい値未満で前記WLANに干渉するチャネルを備える、論理と、
前記クリーンチャネルが利用可能であることに基づいて前記セルラーネットワーク用の前記動作チャネルとして前記クリーンチャネルを選択する(650A)か、または前記クリーンチャネルが利用可能ではないことに基づいて前記セルラーネットワークをオフにする(660A)ように構成された論理(1010)と
を備える装置。
【請求項４０】
前記クリーンチャネルが、RSSIしきい値未満の最大ビーコン受信信号強度インジケータ(RSSI)を有するチャネルを備える、請求項39に記載の装置。
【請求項４１】
前記WLAN干渉しきい値が、前記RSSIしきい値を備える、請求項40に記載の装置。
【請求項４２】
ユーティリティ値を、RSSIしきい値未満の最大ビーコンRSSIを有する前記1つまたは複数のチャネルの各々に割り当てるように構成された論理であって、前記ユーティリティ値が雑音フロアおよび前記最大ビーコンRSSIに基づく、論理
をさらに備える、請求項39に記載の装置。
【請求項４３】
前記選択された動作チャネルが、最も高いユーティリティ値を有する利用可能なチャネルを備える、請求項42に記載の装置。
【請求項４４】
周期的にまたはイベントに応答して前記第1のチャネルスキャンおよび前記第2のチャネルスキャンを実行するように構成された論理
をさらに備える、請求項39に記載の装置。
【請求項４５】
前記イベントが、前記WLANアクセスポイントまたは前記WLANアクセスポイントに接続されたユーザデバイスによる、しきい値よりも高い前記動作チャネルへの干渉の検出を備える、請求項44に記載の装置。
【請求項４６】
前記第2のチャネルスキャンに基づいて新しい動作チャネルに切り替えるためのチャネル切替え基準が満たされたかどうかを判断するように構成された論理と、
前記チャネル切替え基準が満たされたという判断に基づいて、前記新しい動作チャネルに切り替えるように構成された論理と
をさらに備える、請求項39に記載の装置。
【請求項４７】
前記チャネル切替え基準が、新しいビーコンのビーコンRSSIが前記WLAN干渉しきい値よりも大きいかどうかの指示および/または前記動作チャネルよりも高いユーティリティ値を有する新しいチャネルがあるかどうかの指示を備える、請求項46に記載の装置。
【請求項４８】
前記セルラーネットワークが、無認可スペクトル内のロングタームエボリューション(LTE)ネットワークを備える、請求項39に記載の装置。
【請求項４９】
前記セルラーネットワーク干渉しきい値を下回る干渉レベルを有する前記セルラーネットワークチャネルが利用可能ではないことに基づいて、利用不可能なセルラーネットワークチャネルを除外するように構成された論理
をさらに備える、請求項39に記載の装置。
【請求項５０】
除外するように構成された前記論理が、
前記WLANアクセスポイントのスキャン期間と重複する、前記セルラーネットワーク干渉しきい値を上回る干渉レベルを有する任意のセルラーネットワーク信号を探索するために、ネットワークリッスンを実行するように構成された論理と、
前記WLANアクセスポイントの所与のスキャン期間におけるアクセスポイントビーコンミスを検出するように構成された論理と、
前記アクセスポイントビーコンミスがセルラーネットワーク信号の存在に相関付けられるかどうかを判断するように構成された論理と、
前記アクセスポイントビーコンミスがセルラーネットワーク信号の存在に相関付けられることに基づいて、前記干渉レベルが前記セルラーネットワーク干渉しきい値を上回らないまで、前記セルラーネットワーク信号に対応するセルラーネットワークチャネルについて以前のアクセスポイントビーコンRSSIを維持するように構成された論理と
を備える、請求項49に記載の装置。
【請求項５１】
除外するように構成された前記論理が、
前記セルラーネットワーク干渉しきい値を上回る干渉レベルを有するセルラーネットワーク信号に対する逐次干渉除去の実行によって、クリーンセルラーネットワーク信号を生成するように構成された論理と、
前記クリーンセルラーネットワーク信号を前記WLANアクセスポイントに提供するように構成された論理と
を備える、請求項49に記載の装置。
【請求項５２】
前記クリーンセルラーネットワーク信号が、前記セルラーネットワーク干渉しきい値を上回る前記干渉レベルを有する前記セルラーネットワーク信号を含まず、ビーコン検出のための残りのWLANアクセスポイント信号のみを含む波形を備える、請求項51に記載の装置。
【請求項５３】
前記逐次干渉除去の前記実行および前記クリーンセルラーネットワーク信号の前記提供が、前記スモールセルと通信しているユーザデバイスによって実行される、請求項51に記載の装置。
【請求項５４】
前記逐次干渉除去を前記実行するステップおよび前記提供するステップが、前記スモールセルによって実行される、請求項51に記載の装置。
【請求項５５】
除外するように構成された前記論理が、
同じ事業者に属する複数のスモールセルの間で利用可能なWLANアクセスポイントチャネルのチャネルスキャンを同期させるように構成された論理であって、前記複数のスモールセルが前記スモールセルを含む、論理と、
前記WLANアクセスポイントが前記スモールセルの現在のワイヤレス環境を判断するのを可能にするために、前記スモールセルをミュートするように構成された論理と
を備える、請求項49に記載の装置。
【請求項５６】
前記利用可能なチャネルが、前記セルラーネットワークを動作させるために利用可能なすべてのセルラーネットワークチャネルを備える、請求項39に記載の装置。
【請求項５７】
スモールセル基地局によって運用されるワイヤレスローカルエリアネットワーク(WLAN)への干渉を低減するために、セルラーネットワーク用の動作チャネルを選択することが可能なスモールセル基地局(301)であって、
セルラーネットワークモデム(394)と、
利用可能なチャネルのチャネルスキャンを実行する(610A; 620A)ように構成されたWLANアクセスポイント(392)と、
前記チャネルスキャンに基づいて前記セルラーネットワーク用の前記動作チャネルとなるべきクリーンチャネルがあるかどうかを判断する(640A)ことであって、前記クリーンチャネルがWLAN干渉しきい値未満で前記WLANに干渉するチャネルを備える、判断することと、前記クリーンチャネルが利用可能であることに基づいて前記セルラーネットワーク用の前記動作チャネルとして前記クリーンチャネルを選択する(650A)か、または前記クリーンチャネルが利用可能ではないことに基づいて前記セルラーネットワークをオフにする(660A)こととを行うように構成されたプロセッサ(382)と
を備えるスモールセル基地局。
【請求項５８】
スモールセル基地局によって運用されるワイヤレスローカルエリアネットワーク(WLAN)への干渉を低減するために、セルラーネットワーク用の動作チャネルを選択することが可能なスモールセル基地局(301)であって、
前記セルラーネットワークを動作させるための利用可能なチャネルの第1のチャネルスキャンを実行する(610A)ように構成されたセルラーネットワークモデム(394)と、
前記セルラーネットワークを動作させるための前記利用可能なチャネルの第2のチャネルスキャンを実行する(620A)ように構成されたWLANアクセスポイント(392)と、
前記第1のチャネルスキャンに基づいて、セルラーネットワーク干渉しきい値を下回る干渉レベルを有する前記利用可能なチャネルのうちの1つまたは複数のセルラーネットワークチャネルを識別する(630A)ことと、前記第2のチャネルスキャンに基づいて、前記識別された1つまたは複数のセルラーネットワークチャネルの中に前記セルラーネットワーク用の前記動作チャネルとなるべきクリーンチャネルがあるかどうかを判断する(640A)ことであって、前記クリーンチャネルがWLAN干渉しきい値未満で前記WLANに干渉するチャネルを備える、判断することと、前記クリーンチャネルが利用可能であることに基づいて前記セルラーネットワーク用の前記動作チャネルとして前記クリーンチャネルを選択する(650A)か、または前記クリーンチャネルが利用可能ではないことに基づいて前記セルラーネットワークをオフにする(660A)こととを行うように構成されたプロセッサ(382)と
を備えるスモールセル基地局。
【請求項５９】
スモールセル(301)によって運用されるワイヤレスローカルエリアネットワーク(WLAN)への干渉を低減するために、セルラーネットワーク用の動作チャネルを選択するための装置(900)であって、
前記スモールセルによって、利用可能なチャネルのチャネルスキャンを実行する(610A; 620A)ための手段(902)であって、前記スモールセルがWLANアクセスポイント(392)とセルラーネットワークモデム(394)とを備える、手段と、
前記チャネルスキャンに基づいて前記セルラーネットワーク用の前記動作チャネルとなるべきクリーンチャネルがあるかどうかを判断する(640A)ための手段(904)であって、前記クリーンチャネルがWLAN干渉しきい値未満で前記WLANに干渉するチャネルを備える、手段と、
前記クリーンチャネルが利用可能であることに基づいて前記セルラーネットワーク用の前記動作チャネルとして前記クリーンチャネルを選択する(650A)か、または前記クリーンチャネルが利用可能ではないことに基づいて前記セルラーネットワークをオフにする(660A)ための手段(906)と
を備える装置。
【請求項６０】
スモールセル(301)によって運用されるワイヤレスローカルエリアネットワーク(WLAN)への干渉を低減するために、セルラーネットワーク用の動作チャネルを選択するための装置(1000)であって、
前記スモールセルのセルラーネットワークモデム(394)によって、前記セルラーネットワークを動作させるための利用可能なチャネルの第1のチャネルスキャンを実行する(610A)ための手段(1002)と、
前記スモールセルのWLANアクセスポイント(392)によって、前記セルラーネットワークを動作させるための前記利用可能なチャネルの第2のチャネルスキャンを実行する(620A)ための手段(1004)と、
前記第1のチャネルスキャンに基づいて、セルラーネットワーク干渉しきい値を下回る干渉レベルを有する前記利用可能なチャネルのうちの1つまたは複数のセルラーネットワークチャネルを識別する(630A)ための手段(1006)と、
前記第2のチャネルスキャンに基づいて、前記識別された1つまたは複数のセルラーネットワークチャネルの中に前記セルラーネットワーク用の前記動作チャネルとなるべきクリーンチャネルがあるかどうかを判断する(640A)ための手段(1007)であって、前記クリーンチャネルがWLAN干渉しきい値未満で前記WLANに干渉するチャネルを備える、手段と、
前記クリーンチャネルが利用可能であることに基づいて前記セルラーネットワーク用の前記動作チャネルとして前記クリーンチャネルを選択する(650A)か、または前記クリーンチャネルが利用可能ではないことに基づいて前記セルラーネットワークをオフにする(660A)ための手段(1010)と
を備える装置。
【請求項６１】
スモールセル(301)によって運用されるワイヤレスローカルエリアネットワーク(WLAN)への干渉を低減するために、セルラーネットワーク用の動作チャネルを選択するための非一時的コンピュータ可読記憶媒体であって、
前記スモールセルによって、利用可能なチャネルのチャネルスキャンを実行する(610A; 620A)ための少なくとも1つの命令であって、前記スモールセルがWLANアクセスポイント(392)とセルラーネットワークモデム(394)とを備える、少なくとも1つの命令と、
前記チャネルスキャンに基づいて前記セルラーネットワーク用の前記動作チャネルとなるべきクリーンチャネルがあるかどうかを判断する(640A)ための少なくとも1つの命令であって、前記クリーンチャネルがWLAN干渉しきい値未満で前記WLANに干渉するチャネルを備える、少なくとも1つの命令と、
前記クリーンチャネルが利用可能であることに基づいて前記セルラーネットワーク用の前記動作チャネルとして前記クリーンチャネルを選択する(650A)か、または前記クリーンチャネルが利用可能ではないことに基づいて前記セルラーネットワークをオフにする(660A)ための少なくとも1つの命令と
を備える非一時的コンピュータ可読記憶媒体。
【請求項６２】
スモールセル(301)によって運用されるワイヤレスローカルエリアネットワーク(WLAN)への干渉を低減するために、セルラーネットワーク用の動作チャネルを選択するための非一時的コンピュータ可読記憶媒体であって、
前記スモールセルのセルラーネットワークモデム(394)によって、前記セルラーネットワークを動作させるための利用可能なチャネルの第1のチャネルスキャンを実行する(610A)ための少なくとも1つの命令と、
前記スモールセルのWLANアクセスポイント(392)によって、前記セルラーネットワークを動作させるための前記利用可能なチャネルの第2のチャネルスキャンを実行する(620A)ための少なくとも1つの命令と、
前記第1のチャネルスキャンに基づいて、セルラーネットワーク干渉しきい値を下回る干渉レベルを有する前記利用可能なチャネルのうちの1つまたは複数のセルラーネットワークチャネルを識別する(630A)ための少なくとも1つの命令と、
前記第2のチャネルスキャンに基づいて、前記識別された1つまたは複数のセルラーネットワークチャネルの中に前記セルラーネットワーク用の前記動作チャネルとなるべきクリーンチャネルがあるかどうかを判断する(640A)ための少なくとも1つの命令であって、前記クリーンチャネルがWLAN干渉しきい値未満で前記WLANに干渉するチャネルを備える、少なくとも1つの命令と、
前記クリーンチャネルが利用可能であることに基づいて前記セルラーネットワーク用の前記動作チャネルとして前記クリーンチャネルを選択する(650A)か、または前記クリーンチャネルが利用可能ではないことに基づいて前記セルラーネットワークをオフにする(660A)ための少なくとも1つの命令と
を備える非一時的コンピュータ可読記憶媒体。
【国際調査報告】
2016529852.tif 000018
2016529852.tif 000019